(57)【特許請求の範囲】
【請求項１】
通信方法であって、
ユーザ機器によって第1の指示情報を取得し、それによって、前記ユーザ機器は、サービングセルを追加することが可能であるか否かを前記第1の指示情報にしたがって決定する、ステップと、
第2の基地局によって送信された第2の指示情報を前記ユーザ機器によって受信するステップであって、前記第2の指示情報は、第1のセルセットを示すのに使用される、ステップと、
前記ユーザ機器が無線リソース制御(RRC)接続モードにある場合に、前記第1の指示情報に基づいて、サービングセルとして第2のセルを追加することを前記ユーザ機器によって決定するステップであって、前記ユーザ機器のサービング基地局は、第1の基地局であり、前記ユーザ機器のサービングセルは、前記第1の基地局の第1のセルである、ステップと、
前記ユーザ機器によって、前記第2のセルが属している第2の基地局に第1のメッセージを送信するステップであって、前記第1のメッセージは、前記ユーザ機器のサービングセルとして前記第2のセルを追加することを要求するのに使用される、ステップと、
前記第2の基地局又は前記第1の基地局によって送信された第2のメッセージを前記ユーザ機器によって受信するステップであって、前記第2のメッセージは、前記ユーザ機器の前記サービングセルの追加に成功したということを示すのに使用される、ステップと、
前記ユーザ機器によって、前記第1のセル及び前記第2のセルを使用することにより前記第1の基地局及び前記第2の基地局と通信するステップとを含み、
前記第1の指示情報に基づいて、サービングセルとして第2のセルを追加することを前記ユーザ機器によって決定するステップは、前記第1のセルが前記第1のセルセットに属する場合に、前記第1の指示情報に基づいて、サービングセルとして前記第2のセルを追加することを前記ユーザ機器によって決定するステップを含む、
通信方法。
【請求項２】
前記第1の指示情報は、サービングセルを追加することについてのトリガ条件情報を含む、請求項１に記載の通信方法。
【請求項３】
通信方法であって、
第2の基地局によってユーザ機器に第2の指示情報を送信するステップであって、前記第2の指示情報は、第1のセルセットを示すのに使用される、ステップと、
前記ユーザ機器が、前記第2の指示情報にしたがって、第1のセルが前記第1のセルセットに属しているということを決定することに応答して、前記ユーザ機器によって送信された第1のメッセージを前記第2の基地局によって受信するステップであって、前記第1のメッセージは、前記ユーザ機器のサービングセルとして前記第2の基地局の第2のセルを追加することを要求するのに使用され、前記ユーザ機器は、無線リソース制御(RRC)接続モードにあり、前記ユーザ機器のサービング基地局は、第1の基地局であり、前記ユーザ機器のサービングセルは、前記第1の基地局の第1のセルである、ステップと、
前記第2の基地局によって前記ユーザ機器に第2のメッセージを送信するステップであって、前記第2のメッセージは、前記ユーザ機器の前記サービングセルの追加に成功したということを示すのに使用される、ステップと、
前記第2の基地局によって、前記第2のセルを使用することにより前記ユーザ機器と通信するステップと、を含む、
通信方法。
【請求項４】
当該通信方法は、
前記第1のメッセージにしたがって、前記第2の基地局によって前記第1の基地局に第3のメッセージを送信するステップであって、前記第3のメッセージは、前記ユーザ機器のための送信経路を追加することを前記第1の基地局に要求するのに使用される、ステップと、
前記第3のメッセージにしたがって前記第1の基地局によって送信された第4のメッセージを前記第2の基地局によって受信するステップであって、前記第4のメッセージは、前記ユーザ機器の前記送信経路の追加に成功したということを示すのに使用される、ステップと、をさらに含む、請求項３に記載の通信方法。
【請求項５】
ユーザ機器であって、
第1の指示情報を取得するように構成され、それによって、当該ユーザ機器は、サービングセルを追加することが可能であるか否かを前記第1の指示情報にしたがって決定する、取得モジュールと、
当該ユーザ機器が無線リソース制御(RRC)接続モードにある場合に、前記第1の指示情報に基づいて、サービングセルとして第2のセルを追加することを決定するように構成される決定モジュールであって、当該ユーザ機器のサービング基地局は、第1の基地局であり、当該ユーザ機器のサービングセルは、前記第1の基地局の第1のセルである、決定モジュールと、
前記第2のセルが属している第2の基地局に第1のメッセージを送信するように構成される送信モジュールであって、前記第1のメッセージは、当該ユーザ機器のサービングセルとして前記第2のセルを追加することを要求するのに使用される、送信モジュールと、
前記第2の基地局又は前記第1の基地局によって送信された第2のメッセージを受信するように構成される受信モジュールであって、前記第2のメッセージは、当該ユーザ機器の前記サービングセルの追加に成功したということを示すのに使用される、受信モジュールと、
前記第1のセル及び前記第2のセルを使用することにより前記第1の基地局及び前記第2の基地局と通信するように構成される通信モジュールと、を含むみ、
前記受信モジュールは、さらに、前記第2の基地局によって送信された第2の指示情報を受信するように構成され、前記第2の指示情報は、第1のセルセットを示すのに使用され、前記決定モジュールは、前記第1のセルが前記第1のセルセットに属する場合に、前記第1の指示情報に基づいて、サービングセルとして前記第2のセルを追加することを決定するように構成される、
ユーザ機器。
【請求項６】
前記取得モジュールによって取得される前記第1の指示情報は、サービングセルを追加することについてのトリガ条件情報を含む、請求項５に記載のユーザ機器。
【請求項７】
基地局であって、
ユーザ機器によって送信された第1のメッセージを受信するように構成される受信モジュールであって、前記第1のメッセージは、前記ユーザ機器のサービングセルとして当該基地局の第2のセルを追加することを要求するのに使用され、前記ユーザ機器は、無線リソース制御(RRC)接続モードにあり、前記ユーザ機器のサービング基地局は、第1の基地局であり、前記ユーザ機器のサービングセルは、前記第1の基地局の第1のセルである、受信モジュールと、
前記ユーザ機器に第2のメッセージを送信するように構成される送信モジュールであって、前記第2のメッセージは、前記ユーザ機器の前記サービングセルの追加に成功したということを示すのに使用される、送信モジュールと、
前記第2のセルを使用することによって前記ユーザ機器と通信するように構成される通信モジュールと、を含むみ、
前記送信モジュールは、さらに、前記ユーザ機器に第2の指示情報を送信するように構成され、前記第2の指示情報は、第1のセルセットを示すのに使用され、
前記受信モジュールは、前記ユーザ機器が、前記第2の指示情報にしたがって、前記第1のセルが前記第1のセルセットに属しているということを決定する場合に、前記ユーザ機器によって送信された前記第1のメッセージを受信するように構成される、
基地局。
【請求項８】
前記送信モジュールは、さらに、前記第1のメッセージにしたがって、前記第1の基地局に第3のメッセージを送信するように構成され、前記第3のメッセージは、前記ユーザ機器のための送信経路を追加することを前記第1の基地局に要求するのに使用され、
前記受信モジュールは、さらに、前記第3のメッセージにしたがって前記第1の基地局によって送信された第4のメッセージを受信するように構成され、前記第4のメッセージは、前記ユーザ機器の前記送信経路の追加に成功したということを示すのに使用される、請求項７に記載の基地局。
【請求項９】
複数のコンピュータ実行可能な命令を含むコンピュータプログラムであって、前記複数のコンピュータ実行可能な命令は、ユーザ機器のプロセッサで実行されると、前記ユーザ機器に、通信方法を実行させ、前記通信方法は、
前記ユーザ機器によって第1の指示情報を取得し、それによって、前記ユーザ機器は、サービングセルを追加することが可能であるか否かを前記第1の指示情報にしたがって決定する、ステップと、
第2の基地局によって送信された第2の指示情報を前記ユーザ機器によって受信するステップであって、前記第2の指示情報は、第1のセルセットを示すのに使用される、ステップと、
前記ユーザ機器が無線リソース制御(RRC)接続モードにある場合に、前記第1の指示情報に基づいて、サービングセルとして第2のセルを追加することを前記ユーザ機器によって決定するステップであって、前記ユーザ機器のサービング基地局は、第1の基地局であり、前記ユーザ機器のサービングセルは、前記第1の基地局の第1のセルである、ステップと、
前記ユーザ機器によって、前記第2のセルが属している第2の基地局に第1のメッセージを送信するステップであって、前記第1のメッセージは、前記ユーザ機器のサービングセルとして前記第2のセルを追加することを要求するのに使用される、ステップと、
前記第2の基地局又は前記第1の基地局によって送信された第2のメッセージを前記ユーザ機器によって受信するステップであって、前記第2のメッセージは、前記ユーザ機器の前記サービングセルの追加に成功したということを示すのに使用される、ステップと、
前記ユーザ機器によって、前記第1のセル及び前記第2のセルを使用することにより前記第1の基地局及び前記第2の基地局と通信するステップと、を含み、
前記第1の指示情報に基づいて、サービングセルとして第2のセルを追加することを前記ユーザ機器によって決定するステップは、前記第1のセルが前記第1のセルセットに属する場合に、前記第1の指示情報に基づいて、サービングセルとして前記第2のセルを追加することを前記ユーザ機器によって決定するステップを含む、
コンピュータプログラム。
【請求項１０】
複数のコンピュータ実行可能な命令を含むコンピュータプログラムであって、前記複数のコンピュータ実行可能な命令は、第2の基地局のプロセッサで実行されると、前記第2の基地局に、通信方法を実行させ、前記通信方法は、
前記第2の基地局によってユーザ機器に第2の指示情報を送信するステップであって、前記第2の指示情報は、第1のセルセットを示すのに使用される、ステップと、
前記ユーザ機器が、前記第2の指示情報にしたがって、第1のセルが前記第1のセルセットに属しているということを決定することに応答して、前記ユーザ機器によって送信された第1のメッセージを前記第2の基地局によって受信するステップであって、前記第1のメッセージは、前記ユーザ機器のサービングセルとして前記第2の基地局の第2のセルを追加することを要求するのに使用され、前記ユーザ機器は、無線リソース制御(RRC)接続モードにあり、前記ユーザ機器のサービング基地局は、第1の基地局であり、前記ユーザ機器のサービングセルは、前記第1の基地局の第1のセルである、ステップと、
前記第2の基地局によって前記ユーザ機器に第2のメッセージを送信するステップであって、前記第2のメッセージは、前記ユーザ機器の前記サービングセルの追加に成功したということを示すのに使用される、ステップと、
前記第2の基地局によって、前記第2のセルを使用することにより前記ユーザ機器と通信するステップと、を含む、
コンピュータプログラム。
【発明の詳細な説明】
【技術分野】
【０００１】
本発明は、無線通信の分野に関し、特に、通信分野における通信方法、ユーザ機器、及び基地局に関する。
【背景技術】
【０００２】
移動体通信システムの急速な発展に伴って、移動体通信システムは、ますます高品質のサービスを提供することが可能になっている。第3世代パートナーシップ・プロジェクト(the  3rd  Generation  Partner  Project,  略称"3GPP")の長期的な競争優位性を保ちつつ、移動体通信システムのスペクトル効率及びユーザスループットをさらに改善することを目的として、新たな技術として、ロング・ターム・エボリューション・アドバンスト(LTE-Advanced,  略称"LTE-A")規格に、キャリアアグリゲーション(Carrier  Aggregation,  略称"CA")技術が導入されている。そのキャリアアグリゲーション技術によって、ユーザ機器(User  Equipment,  略称"UE")は、複数のセルを同時に使用して、アップリンク−ダウンリンク通信を実行することで、高速データ送信をサポートすることが可能である。それらの複数のセルのうち、一方のセルは、プライマリセル(Primary  Cell,  略称"PCell")であり、他方のセルは、セカンダリセル(Secondary  Cell,  略称"SCell")である。
【０００３】
ロング・ターム・エボリューション(Long  Term  Evolution,  略称"LTE")システムにおいては、キャリアアグリゲーションは、基地局内のセルアグリゲーション、基地局間のセルアグリゲーション等に分類することができる。基地局内のセルアグリゲーションは、1つのUEについて、複数の集約されたサービングセルのすべてが、同じ基地局に属しているということを意味する。それらの複数の集約されたサービングセルは、1つのみの基地局によって制御されるので、基地局内のセルアグリゲーションは、比較的単純である。基地局間のセルアグリゲーションは、デュアルコネクティビティ(Dual  Connectivity,  略称"DC")とも称され、リリース12(Release-12)に導入され、リリース12は、発展段階にある。DCは、2つの基地局の複数のセルについてのキャリアアグリゲーションをサポートし、したがって、ユーザは、より良好なユーザ・イクスペアリアンスを経験することが可能である。基地局間のセルアグリゲーション技術においては、1つのUEについて、一方の基地局は、マスター基地局(Master  eNB,  略称"MeNB")であり、他方の基地局は、セカンダリ基地局(Secondary  eNB,  略称"SeNB")である。マスター基地局は、より多くの制御機能を担い、通常は、マクロ基地局であり、セカンダリ基地局は、通常は、ミクロ基地局である。
【０００４】
スマートフォンの普及は、より厳格なユーザ・トラフィック要件を伴う。ミクロ基地局を密に配置することは、そのより厳格なユーザ・トラフィック要件を満たす有効な方法であり、将来的な動向でもある。一方で、現在の通信システムにおいては、マスター基地局は、あるセルについて集中化された管理制御を実行する、すなわち、マスター基地局は、セカンダリセルを追加するか否かを制御するコマンド又はいずれのセカンダリセルを追加するかを制御するコマンドを配信する。具体的には、マスター基地局は、UEに測定設定を配信する。そのUEは、その測定設定にしたがって、測定報告を報告する。その後、その測定報告にしたがって、マスター基地局は、セカンダリセルを追加するか否かを決定し、或いは、いずれのセカンダリセルを追加するかを決定する。結果として、セルが増加するにつれて、大量のシステム・シグナリングも増加する。したがって、基地局は、過負荷となる場合があり、大量のシグナリングを処理することができない。
【発明の概要】
【０００５】
上記のことから、本発明の複数の実施形態は、データ送信方法、ユーザ機器、及び基地局を提供して、その基地局の過負荷の問題を解決する。
【０００６】
第1の態様によれば、通信方法であって、当該通信方法は、ユーザ機器によって第1の指示情報を取得し、それによって、前記ユーザ機器は、サービングセルを追加することが可能であるか否かを前記第1の指示情報にしたがって決定する、ステップと、前記ユーザ機器が無線リソース制御(RRC)接続モードにある場合に、前記第1の指示情報に基づいて、サービングセルとして第2のセルを追加することを前記ユーザ機器によって決定するステップであって、前記ユーザ機器のサービング基地局は、第1の基地局であり、前記ユーザ機器のサービングセルは、前記第1の基地局の第1のセルである、ステップと、前記ユーザ機器によって、前記第2のセルが属している第2の基地局に第1のメッセージを送信するステップであって、前記第1のメッセージは、前記ユーザ機器のサービングセルとして前記第2のセルを追加することを要求するのに使用される、ステップと、前記第2の基地局又は前記第1の基地局によって送信された第2のメッセージを前記ユーザ機器によって受信するステップであって、前記第2のメッセージは、前記ユーザ機器の前記サービングセルの追加に成功したということを示すのに使用される、ステップと、前記ユーザ機器によって、前記第1のセル及び前記第2のセルを使用することにより前記第1の基地局及び前記第2の基地局と通信するステップとを含む、通信方法が提供される。
【０００７】
第1の態様に関して、第1の態様の第1の可能な実装において、前記第1の指示情報は、前記ユーザ機器のためのサービングセルを追加することが許可されるか否かを示すのに使用され、前記第1の指示情報に基づいて、サービングセルとして第2のセルを追加することを前記ユーザ機器によって決定するステップは、前記第1の指示情報が、前記ユーザ機器のためのサービングセルを追加することが許可されるということを示している場合に、サービングセルとして前記第2のセルを追加することを前記ユーザ機器によって決定するステップを含む。
【０００８】
第1の態様に関して、第1の態様の第2の可能な実装において、前記第1の指示情報は、セル周波数セットを含み、前記第1の指示情報に基づいて、サービングセルとして第2のセルを追加することを前記ユーザ機器によって決定するステップは、特に、前記第2のセルの周波数が前記セル周波数セットに属する場合に、サービングセルとして前記第2のセルを追加することを前記ユーザ機器によって決定するステップを含むか、又は、前記第1の指示情報は、セル周波数及び物理セル識別子(PCI)セットを含み、前記第1の指示情報に基づいて、サービングセルとして第2のセルを追加することを前記ユーザ機器によって決定するステップは、特に、前記第2のセルの周波数及びPCIが前記セル周波数及びPCIセットに属する場合に、サービングセルとして前記第2のセルを追加することを前記ユーザ機器によって決定するステップを含む。
【０００９】
第1の態様、或いは第1の態様の第1の可能な実装又は第2の可能な実装に関して、第1の態様の第3の可能な実装において、当該通信方法は、前記第2の基地局によって送信された第2の指示情報を前記ユーザ機器によって受信するステップをさらに含み、前記第2の指示情報は、第1のセルセットを示すのに使用され、前記第1の指示情報に基づいて、サービングセルとして第2のセルを追加することを前記ユーザ機器によって決定するステップは、前記第1のセルが前記第1のセルセットに属する場合に、前記第1の指示情報に基づいて、サービングセルとして前記第2のセルを追加することを前記ユーザ機器によって決定するステップを含む。
【００１０】
第1の態様、又は第1の態様の第1の可能な実装乃至第3の可能な実装のうちのいずれか1つに関して、第1の態様の第4の可能な実装において、前記第1の指示情報は、サービングセルを追加することについてのトリガ条件情報を含む。
【００１１】
第1の態様、又は第1の態様の第1の可能な実装乃至第4の可能な実装のうちのいずれか1つに関して、第1の態様の第5の可能な実装において、当該通信方法は、前記第2の基地局によって送信された第3の指示情報を前記ユーザ機器によって受信するステップをさらに含み、前記第3の指示情報は、前記第2のセルがライセンス補助アクセス(LAA)セルに属しているか否かを示すのに使用され、及び/又は前記第2のセルの相関セル情報を示すのに使用され、前記第1の指示情報に基づいて、サービングセルとして第2のセルを追加することを前記ユーザ機器によって決定するステップは、前記第2のセルが前記LAAセルに属し、及び/又は前記第1のセルが前記第2のセルの相関セルであるということを決定する場合に、前記第1の指示情報に基づいて、サービングセルとして前記第2のセルを追加することを前記ユーザ機器によって決定するステップを含む。
【００１２】
第1の態様に関して、第1の態様の第6の可能な実装において、前記第1の基地局及び前記第2の基地局は、同じ基地局であり、前記第1の指示情報は、第2のセルセットを示すのに使用され、前記第2のセルセットに含まれるセルは、前記第1の基地局のセルであり、前記第1の指示情報に基づいて、サービングセルとして第2のセルを追加することを前記ユーザ機器によって決定するステップは、前記第2のセルが前記第2のセルセットに属している場合に、サービングセルとして前記第2のセルを追加することを前記ユーザ機器によって決定するステップを含む。
【００１３】
第1の態様、又は第1の態様の第1の可能な実装乃至第6の可能な実装のうちのいずれか1つに関して、第1の態様の第7の可能な実装において、前記第1のメッセージは、以下の情報、すなわち、前記第1のセルのセル識別子情報、前記ユーザ機器の識別子情報、又は前記ユーザ機器に対して認証を実行するのに使用される第1の認証情報のうちの少なくとも1つを含む。
【００１４】
第1の態様、又は第1の態様の第1の可能な実装乃至第7の可能な実装のうちのいずれか1つに関して、第1の態様の第8の可能な実装において、前記第2のメッセージは、ネットワークに対して認証を実行するのに使用される第2の認証情報を含み、前記ユーザ機器によって、前記第1のセル及び前記第2のセルを使用することにより前記第1の基地局及び前記第2の基地局と通信するステップは、前記第2の認証情報に基づく認証に成功した後に、前記ユーザ機器によって、前記第1のセル及び前記第2のセルを使用することにより前記第1の基地局及び前記第2の基地局と通信するステップを含む。
【００１５】
第2の態様によれば、通信方法であって、当該通信方法は、ユーザ機器によって送信された第1のメッセージを第2の基地局によって受信するステップであって、前記第1のメッセージは、前記ユーザ機器のサービングセルとして前記第2の基地局の第2のセルを追加することを要求するのに使用され、前記ユーザ機器は、無線リソース制御(RRC)接続モードにあり、前記ユーザ機器のサービング基地局は、第1の基地局であり、前記ユーザ機器のサービングセルは、前記第1の基地局の第1のセルである、ステップと、前記第2の基地局によって前記ユーザ機器に第2のメッセージを送信するステップであって、前記第2のメッセージは、前記ユーザ機器の前記サービングセルの追加に成功したということを示すのに使用される、ステップと、前記第2の基地局によって、前記第2のセルを使用することにより前記ユーザ機器と通信するステップと、を含む通信方法が提供される。
【００１６】
第2の態様によれば、第2の態様の第1の可能な実装において、当該通信方法は、前記第1のメッセージにしたがって、前記第2の基地局によって前記第1の基地局に第3のメッセージを送信するステップであって、前記第3のメッセージは、前記ユーザ機器のための送信経路を追加することを前記第1の基地局に要求するのに使用される、ステップと、前記第3のメッセージにしたがって前記第1の基地局によって送信された第4のメッセージを前記第2の基地局によって受信するステップであって、前記第4のメッセージは、前記ユーザ機器の前記送信経路の追加に成功したということを示すのに使用される、ステップと、をさらに含む。
【００１７】
第2の態様又は第2の態様の第1の可能な実装に関して、第2の態様の第2の可能な実装において、当該通信方法は、前記第2の基地局によって前記ユーザ機器に第2の指示情報を送信するステップをさらに含み、前記第2の指示情報は、第1のセルセットを示すのに使用され、ユーザ機器によって送信された第1のメッセージを第2の基地局によって受信するステップは、前記ユーザ機器が、前記第2の指示情報にしたがって、前記第1のセルが前記第1のセルセットに属しているということを決定する場合に、前記ユーザ機器によって送信された前記第1のメッセージを前記第2の基地局によって受信するステップを含む。
【００１８】
第2の態様、或いは第2の態様の第1の可能な実装又は第2の可能な実装に関して、第2の態様の第3の可能な実装において、当該通信方法は、前記第2の基地局によって前記ユーザ機器に第3の指示情報を送信するステップをさらに含み、前記第3の指示情報は、前記第2のセルがライセンス補助アクセス(LAA)セルに属しているか否かを示すのに使用され、及び/又は前記第2のセルの相関セル情報を示すのに使用され、ユーザ機器によって送信された第1のメッセージを第2の基地局によって受信するステップは、前記ユーザ機器が、前記第2のセルが前記LAAセルに属し、及び/又は前記第1のセルが前記第2のセルの相関セルであるということを決定する場合に、前記ユーザ機器によって送信された前記第1のメッセージを前記第2の基地局によって受信するステップを含む。
【００１９】
第2の態様の第1の可能な実装乃至第3の可能な実装のうちのいずれか1つに関して、第2の態様の第4の可能な実装において、前記第4のメッセージは、前記ユーザ機器のベアラ情報を含み、前記ユーザ機器の前記ベアラ情報は、以下の情報、すなわち、前記ユーザ機器のベアラ識別子情報、前記ユーザ機器のベアラのサービス品質(QoS)情報、又は前記ユーザ機器のアップリンク汎用パケット無線サービス(GPRS)トンネリング・プロトコル(GTP)トンネル・アドレス情報のうちの少なくとも1つを含む。
【００２０】
第2の態様、又は第2の態様の第1の可能な実装乃至第4の可能な実装のうちのいずれか1つに関して、第2の態様の第5の可能な実装において、当該通信方法は、前記第2の基地局によって前記第1の基地局に第5のメッセージを送信するステップをさらに含み、前記第5のメッセージは、前記ユーザ機器のダウンリンクGTPトンネル・アドレス情報を含む。
【００２１】
第2の態様、又は第2の態様の第1の可能な実装乃至第5の可能な実装のうちのいずれか1つに関して、第2の態様の第6の可能な実装において、前記第4のメッセージ及び前記第2のメッセージは、ネットワークに対して認証を実行するのに使用される第2の認証情報を含み、前記第2の基地局によって、前記第2のセルを使用することにより前記ユーザ機器と通信するステップは、特に、前記ユーザ機器が前記第2の認証情報に基づく認証に成功した後に、前記第2の基地局によって、前記第2のセルを使用することにより前記ユーザ機器と通信するステップを含む。
【００２２】
第2の態様、又は第2の態様の第1の可能な実装乃至第6の可能な実装のうちのいずれか1つに関して、第2の態様の第7の可能な実装において、前記第1のメッセージは、以下の情報、すなわち、前記第1のセルのセル識別子情報、前記ユーザ機器の識別子情報、又は前記ユーザ機器に対して認証を実行するのに使用される第1の認証情報のうちの少なくとも1つを含み、前記第3のメッセージは、前記ユーザ機器の前記識別子情報及び/又は前記第1の認証情報を含む。
【００２３】
第3の態様によれば、通信方法であって、当該通信方法は、第1の基地局によってユーザ機器に第1の指示情報を送信し、それによって、前記ユーザ機器は、サービングセルを追加することが可能であるか否かを前記第1の指示情報にしたがって決定する、ステップと、前記ユーザ機器が、前記第1の指示情報にしたがって、サービングセルを追加することを決定する場合に、第2の基地局によって送信された第3のメッセージを前記第1の基地局によって受信するステップであって、前記第3のメッセージは、前記ユーザ機器のための送信経路を追加することを前記第1の基地局に要求するのに使用され、前記第3のメッセージは、前記ユーザ機器の識別子情報を含む、ステップと、前記ユーザ機器が無線リソース制御(RRC)接続モードにある場合に、前記第1の基地局によって、前記ユーザ機器の前記識別子情報にしたがって前記ユーザ機器を識別するステップであって、前記ユーザ機器のサービング基地局は、前記第1の基地局であり、前記ユーザ機器のサービングセルは、前記第1の基地局の第1のセルである、ステップと、前記第1の基地局によって前記第2の基地局に第4のメッセージを送信するステップであって、前記第4のメッセージは、前記ユーザ機器の前記送信経路の追加に成功したということを示すのに使用される、ステップと、を含む通信方法を提供する。
【００２４】
第3の態様に関して、第3の態様の第1の可能な実装において、当該通信方法は、前記ユーザ機器が、前記第1の指示情報にしたがって、サービングセルとして第2のセルを追加することを要求する場合に、前記第1の基地局によって前記ユーザ機器に第2のメッセージを送信するステップをさらに含み、前記第2のメッセージは、前記ユーザ機器のサービングセルとして前記第2のセルの追加に成功したということを示すのに使用される。
【００２５】
第3の態様又は第3の態様の第1の可能な実装に関して、第3の態様の第2の可能な実装において、当該通信方法は、前記第2の基地局によって送信された第5のメッセージを前記第1の基地局によって受信するステップをさらに含み、前記第5のメッセージは、前記ユーザ機器のダウンリンクGTPトンネル・アドレス情報を含む。
【００２６】
第3の態様、或いは第3の態様の第1の可能な実装又は第2の可能な実装に関して、第3の態様の第3の可能な実装において、前記第1の指示情報は、前記ユーザ機器のためのサービングセルを追加することが許可されるか否かを示すのに使用されるか、又は、前記第1の指示情報は、セル周波数セットを含むか、又は、前記第1の指示情報は、セル周波数及び物理セル識別子(PCI)セットを含むか、又は、前記第1の指示情報は、サービングセルを追加することについてのトリガ条件情報を含む。
【００２７】
第3の態様、又は第3の態様の第1の可能な実装乃至第3の可能な実装のうちのいずれか1つに関して、第3の態様の第4の可能な実装において、前記第4のメッセージは、前記ユーザ機器のベアラ情報を含み、前記ユーザ機器の前記ベアラ情報は、以下の情報、すなわち、前記ユーザ機器のベアラ識別子情報、前記ユーザ機器のベアラのサービス品質(QoS)情報、又は前記ユーザ機器のアップリンクGPRSトンネリング・プロトコル(GTP)トンネル・アドレス情報のうちの少なくとも1つを含む。
【００２８】
第4の態様によれば、ユーザ機器であって、当該ユーザ機器は、第1の指示情報を取得するように構成され、それによって、当該ユーザ機器は、サービングセルを追加することが可能であるか否かを前記第1の指示情報にしたがって決定する、取得モジュールと、当該ユーザ機器が無線リソース制御(RRC)接続モードにある場合に、前記第1の指示情報に基づいて、サービングセルとして第2のセルを追加することを決定するように構成される決定モジュールであって、当該ユーザ機器のサービング基地局は、第1の基地局であり、当該ユーザ機器のサービングセルは、前記第1の基地局の第1のセルである、決定モジュールと、前記第2のセルが属している第2の基地局に第1のメッセージを送信するように構成される送信モジュールであって、前記第1のメッセージは、当該ユーザ機器のサービングセルとして前記第2のセルを追加することを要求するのに使用される、送信モジュールと、前記第2の基地局又は前記第1の基地局によって送信された第2のメッセージを受信するように構成される受信モジュールであって、前記第2のメッセージは、当該ユーザ機器の前記サービングセルの追加に成功したということを示すのに使用される、受信モジュールと、前記第1のセル及び前記第2のセルを使用することにより前記第1の基地局及び前記第2の基地局と通信するように構成される通信モジュールと、を含む、ユーザ機器が提供される。
【００２９】
第4の態様に関して、第4の態様の第1の可能な実装において、前記取得モジュールによって取得される前記第1の指示情報は、当該ユーザ機器のためのサービングセルを追加することが許可されるか否かを示すのに使用され、前記決定モジュールは、特に、前記第1の指示情報が、当該ユーザ機器のためのサービングセルを追加することが許可されるということを示している場合に、サービングセルとして前記第2のセルを追加することを決定するように構成される。
【００３０】
第4の態様に関して、第4の態様の第2の可能な実装において、前記取得モジュールによって取得される前記第1の指示情報は、セル周波数セットを含み、前記決定モジュールは、特に、前記第2のセルの周波数が前記セル周波数セットに属する場合に、サービングセルとして前記第2のセルを追加することを決定するように構成されるか、又は、前記取得モジュールによって取得される前記第1の指示情報は、セル周波数及び物理セル識別子(PCI)セットを含み、前記決定モジュールは、特に、前記第2のセルの周波数及びPCIが前記セル周波数及びPCIセットに属する場合に、サービングセルとして前記第2のセルを追加することを決定するように構成される。
【００３１】
第4の態様、或いは第4の態様の第1の可能な実装又は第2の可能な実装に関して、第4の態様の第3の可能な実装において、前記受信モジュールは、さらに、前記第2の基地局によって送信された第2の指示情報を受信するように構成され、前記第2の指示情報は、第1のセルセットを示すのに使用され、前記決定モジュールは、特に、前記第1のセルが前記第1のセルセットに属する場合に、前記第1の指示情報に基づいて、サービングセルとして前記第2のセルを追加することを決定するように構成される。
【００３２】
第4の態様、又は第4の態様の第1の可能な実装乃至第3の可能な実装のうちのいずれか1つに関して、第4の態様の第4の可能な実装において、前記取得モジュールによって取得される前記第1の指示情報は、サービングセルを追加することについてのトリガ条件情報を含む。
【００３３】
第4に態様、又は第4の態様の第1の可能な実装乃至第4の可能な実装のうちのいずれか1つに関して、第4の態様の第5の可能な実装において、前記受信モジュールは、さらに、前記第2の基地局によって送信された第3の指示情報を受信するように構成され、前記第3の指示情報は、前記第2のセルがライセンス補助アクセス(LAA)セルに属しているか否かを示すのに使用され、及び/又は前記第2のセルの相関セル情報を示すのに使用され、前記決定モジュールは、特に、前記第2のセルが前記LAAセルに属し、及び/又は前記第1のセルが前記第2のセルの相関セルであるということを決定する場合に、前記第1の指示情報に基づいて、サービングセルとして前記第2のセルを追加することを決定するように構成される。
【００３４】
第4の態様に関して、第4の態様の第6の可能な実装において、前記第1の基地局及び前記第2の基地局が同じ基地局である場合に、前記第1の指示情報は、第2のセルセットを示すのに使用され、前記第2のセルセットに含まれるセルは、前記第1の基地局のセルであり、前記決定モジュールは、特に、前記第2のセルが前記第2のセルセットに属している場合に、サービングセルとして前記第2のセルを追加することを決定するように構成される。
【００３５】
第4の態様、又は第4の態様の第1の可能な実装乃至第6の可能な実装のうちのいずれか1つに関して、第4の態様の第7の可能な実装において、前記送信モジュールによって送信される前記第1のメッセージは、以下の情報、すなわち、前記第1のセルのセル識別子情報、前記ユーザ機器の識別子情報、又は前記ユーザ機器に対して認証を実行するのに使用される第1の認証情報のうちの少なくとも1つを含む。
【００３６】
第4の態様、又は第4の態様の第1の可能な実装乃至第7の可能な実装のうちのいずれか1つに関して、第4の態様の第8の可能な実装において、前記受信モジュールによって受信された前記第2のメッセージは、ネットワークに対して認証を実行するのに使用される第2の認証情報を含み、前記通信モジュールは、特に、前記第2の認証情報に基づく認証に成功した後に、前記第1のセル及び前記第2のセルを使用することによって前記第1の基地局及び前記第2の基地局と通信するように構成される。
【００３７】
第5の態様によれば、基地局であって、当該基地局は、ユーザ機器によって送信された第1のメッセージを受信するように構成される受信モジュールであって、前記第1のメッセージは、前記ユーザ機器のサービングセルとして当該基地局の第2のセルを追加することを要求するのに使用され、前記ユーザ機器は、無線リソース制御(RRC)接続モードにあり、前記ユーザ機器のサービング基地局は、第1の基地局であり、前記ユーザ機器のサービングセルは、前記第1の基地局の第1のセルである、受信モジュールと、前記ユーザ機器に第2のメッセージを送信するように構成される送信モジュールであって、前記第2のメッセージは、前記ユーザ機器の前記サービングセルの追加に成功したということを示すのに使用される、送信モジュールと、前記第2のセルを使用することによって前記ユーザ機器と通信するように構成される通信モジュールと、を含む、基地局が提供される。
【００３８】
第5の態様に関して、第5の態様の第1の可能な実装において、前記送信モジュールは、さらに、前記第1のメッセージにしたがって、前記第1の基地局に第3のメッセージを送信するように構成され、前記第3のメッセージは、前記ユーザ機器のための送信経路を追加することを前記第1の基地局に要求するのに使用され、前記受信モジュールは、さらに、前記第3のメッセージにしたがって前記第1の基地局によって送信された第4のメッセージを受信するように構成され、前記第4のメッセージは、前記ユーザ機器の前記送信経路の追加に成功したということを示すのに使用される。
【００３９】
第5の態様又は第5の態様の第1の可能な実装に関して、第5の態様の第2の可能な実装において、前記送信モジュールは、さらに、前記ユーザ機器に第2の指示情報を送信するように構成され、前記第2の指示情報は、第1のセルセットを示すのに使用され、前記受信モジュールは、特に、前記ユーザ機器が、前記第2の指示情報にしたがって、前記第1のセルが前記第1のセルセットに属しているということを決定する場合に、前記ユーザ機器によって送信された前記第1のメッセージを受信するように構成される。
【００４０】
第5の態様、或いは第5の態様の第1の可能な実装又は第2の可能な実装に関して、第5の態様の第3の可能な実装において、前記送信モジュールは、さらに、前記ユーザ機器に第3の指示情報を送信するように構成され、前記第3の指示情報は、前記第2のセルがライセンス補助アクセス(LAA)セルに属しているか否かを示すのに使用され、及び/又は前記第2のセルの相関セル情報を示すのに使用され、前記受信モジュールは、特に、前記ユーザ機器が、前記第2のセルが前記LAAセルに属し、及び/又は前記第1のセルが前記第2のセルの相関セルであるということを決定する場合に、前記ユーザ機器によって送信された前記第1のメッセージを受信するように構成される。
【００４１】
第5の態様の第1の可能な実装乃至第3の可能な実装にうちのいずれか1つに関して、第5に態様の第4の可能な実装において、前記受信モジュールによって受信された前記第4のメッセージは、前記ユーザ機器のベアラ情報を含み、前記ユーザ機器の前記ベアラ情報は、以下の情報、すなわち、前記ユーザ機器のベアラ識別子情報、前記ユーザ機器のベアラのサービス品質(QoS)情報、又は前記ユーザ機器のアップリンクGPRSトンネリング・プロトコル(GTP)トンネル・アドレス情報のうちの少なくとも1つを含む。
【００４２】
第5の態様、又は第5の態様の第1の可能な実装乃至第4の可能な実装に関して、第5の態様の第5の可能な実装において、前記送信モジュールは、さらに、前記第1の基地局に第5のメッセージを送信するように構成され、前記第5のメッセージは、前記ユーザ機器のダウンリンクGTPトンネル・アドレス情報を含む。
【００４３】
第5の態様、又は第5の態様の第1の可能な実装乃至第5の可能な実装のいずれか1つに関して、第5の態様の第6の可能な実装において、前記受信モジュールによって受信された前記第4のメッセージ及び前記送信モジュールによって送信された前記第2のメッセージは、ネットワークに対して認証を実行するのに使用される第2の認証情報を含み、前記通信モジュールは、特に、前記ユーザ機器が前記第2の認証情報に基づく認証に成功した後に、前記第2のセルを使用することによって前記ユーザ機器と通信するように構成される。
【００４４】
第5の態様、又は第5の態様の第1の可能な実装乃至第6の可能な実装のうちのいずれか1つに関して、第5の態様の第7の可能な実装において、前記受信モジュールによって受信された前記第1のメッセージは、以下の情報、すなわち、前記第1のセルのセル識別子情報、前記ユーザ機器の識別子情報、又は前記ユーザ機器に対して認証を実行するのに使用される第1の認証情報のうちの少なくとも1つを含み、前記送信モジュールによって送信された前記第3のメッセージは、前記ユーザ機器の前記識別子情報及び/又は前記第1の認証情報を含む。
【００４５】
第6の態様によれば、基地局であって、当該基地局は、ユーザ機器に第1の指示情報を送信するように構成され、それによって、前記ユーザ機器は、サービングセルを追加することが可能であるか否かを前記第1の指示情報にしたがって決定する、送信モジュールと、前記ユーザ機器が、前記第1の指示情報にしたがって、サービングセルを追加することを決定する場合に、第2の基地局によって送信された第3のメッセージを受信するように構成される受信モジュールであって、前記第3のメッセージは、前記ユーザ機器のための送信経路を追加することを当該基地局に要求するのに使用され、前記第3のメッセージは、前記ユーザ機器の識別子情報を含む、受信モジュールと、前記ユーザ機器が無線リソース制御(RRC)接続モードにある場合に、前記ユーザ機器の前記識別子情報にしたがって前記ユーザ機器を識別するように構成される識別モジュールであって、前記ユーザ機器のサービング基地局は、当該基地局であり、前記ユーザ機器のサービングセルは、当該基地局の第1のセルである、識別モジュールと、を含み、前記送信モジュールは、さらに、前記第2の基地局に第4のメッセージを送信するように構成され、前記第4のメッセージは、前記ユーザ機器の前記送信経路の追加に成功したということを示すのに使用される、基地局が提供される。
【００４６】
第6の態様に関して、第6の態様の第1の可能な実装において、前記送信モジュールは、さらに、前記ユーザ機器が、前記第1の指示情報にしたがって、サービングセルとして第2のセルを追加することを要求する場合に、前記ユーザ機器に第2のメッセージを送信するように構成され、前記第2のメッセージは、前記ユーザ機器のサービングセルとして前記第2のセルの追加に成功したということを示すのに使用される。
【００４７】
第6の態様又は第6の態様の第1の可能な実装に関して、第6の態様の第2の可能な実装において、前記受信モジュールは、さらに、前記第2の基地局によって送信された第5のメッセージを受信するように構成され、前記第5のメッセージは、前記ユーザ機器のダウンリンクGTPトンネル・アドレス情報を含む。
【００４８】
第6の態様、或いは第6の態様の第1の可能な実装又は第2の可能な実装に関して、第6の態様の第3の可能な実装において、前記送信モジュールによって送信された前記第1の指示情報は、前記ユーザ機器のためのサービングセルを追加することが許可されるか否かを示すのに使用されるか、又は、前記送信モジュールによって送信された前記第1の指示情報は、セル周波数セットを含むか、又は、前記送信モジュールによって送信された前記第1の指示情報は、セル周波数及び物理セル識別子(PCI)セットを含むか、又は、前記送信モジュールによって送信された前記第1の指示情報は、サービングセルを追加することについてのトリガ条件情報を含む。
【００４９】
第6の態様、又は第6の態様の第1の可能な実装乃至第3の可能な実装のうちのいずれか1つに関して、第6の態様の第4の可能な実装において、前記送信モジュールによって送信された前記第4のメッセージは、前記ユーザ機器のベアラ情報を含み、前記ユーザ機器の前記ベアラ情報は、以下の情報、すなわち、前記ユーザ機器のベアラ識別子情報、前記ユーザ機器のベアラのサービス品質QoS情報、又は前記ユーザ機器のアップリンクGPRSトンネリング・プロトコルGTPトンネル・アドレス情報のうちの少なくとも1つを含む。
【００５０】
上記の技術的解決方法に基づいて、本発明の複数の実施形態にしたがった通信方法、ユーザ機器、及び基地局によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとして自律的にセルを追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【図面の簡単な説明】
【００５１】
本発明の複数の実施形態にしたがった複数の技術的解決方法をより明確に説明するために、以下の記載は、本発明の複数の実施形態を説明するのに必要とされる複数の添付の図面を簡潔に説明する。明らかなことではあるが、以下の説明におけるそれらの複数の添付の図面は、本発明の複数の実施形態のうちの一部を示しているにすぎず、当業者は、創造的な努力なくして、それらの複数の添付の図面から他の図面をさらに導き出すことができる。
【００５２】
【図１】LTEシステムの概略図であり、本発明の1つの実施形態がそのLTEシステムに適用される。
【図２】本発明の1つの実施形態にしたがった通信方法の概略的なフローチャートである。
【図３】本発明の1つの実施形態にしたがったサービングセルを追加する方法の概略的なフローチャートである。
【図４】本発明の1つの実施形態にしたがったサービングセルを追加する方法の他の概略的なフローチャートである。
【図５】本発明の1つの実施形態にしたがったサービングセルを追加する方法のさらに他の概略的なフローチャートである。
【図６】本発明の1つの実施形態にしたがった通信方法の他の概略的なフローチャートである。
【図７】本発明の1つの実施形態にしたがった通信方法のさらに他の概略的なフローチャートである。
【図８】本発明の1つの実施形態にしたがった通信方法のさらにもう1つの概略的なフローチャートである。
【図９】本発明の1つの実施形態にしたがった通信方法のさらに別のもう1つの概略的なフローチャートである。
【図１０】本発明の1つの実施形態にしたがった通信方法のさらなる概略的なフローチャートである。
【図１１Ａ】本発明の1つの実施形態にしたがったユーザ・プレーン・プロトコル・スタックの概略的なブロック図である。
【図１１Ｂ】本発明の1つの実施形態にしたがったユーザ・プレーン・プロトコル・スタックの概略的なブロック図である。
【図１１Ｃ】本発明の1つの実施形態にしたがったユーザ・プレーン・プロトコル・スタックの概略的なブロック図である。
【図１１Ｄ】本発明の1つの実施形態にしたがったユーザ・プレーン・プロトコル・スタックの概略的なブロック図である。
【図１２】本発明の他の実施形態にしたがった通信方法の概略的なフローチャートである。
【図１３】本発明の他の実施形態にしたがった通信方法の他の概略的なフローチャートである。
【図１４】本発明の他の実施形態にしたがった通信方法のさらに他の概略的なフローチャートである。
【図１５】本発明のさらに他の実施形態にしたがった通信方法のさらにもう1つの概略的なフローチャートである。
【図１６】本発明のさらに他の実施形態にしたがった通信方法の概略的なフローチャートである。
【図１７】本発明の1つの実施形態にしたがったユーザ機器の概略的なブロック図である。
【図１８】本発明の1つの実施形態にしたがった基地局の概略的なブロック図である。
【図１９】本発明の他の実施形態にしたがった基地局の概略的なブロック図である。
【図２０】本発明の1つの実施形態にしたがったユーザ機器の他の概略的なブロック図である。
【図２１】本発明の1つの実施形態にしたがった基地局の他の概略的なブロック図である。
【図２２】本発明の他の実施形態にしたがった基地局の他の概略的なブロック図である。
【発明を実施するための形態】
【００５３】
以下の記載は、本発明の複数の実施形態にしたがった添付の図面を参照して、本発明のそれらの複数の実施形態にしたがった複数の技術的解決方法を明確かつ完全に説明する。明らかなことではあるが、説明される複数の実施形態は、本発明の複数の実施形態の全てではなく一部である。創造的な努力なくして、本発明のそれらの複数の実施形態に基づいて当業者が得ることができるすべての他の実施形態は、本発明の保護範囲に属するものとする。
【００５４】
本発明の複数の実施形態の技術的解決方法は、たとえば、移動体通信のためのグローバル・システム  (Global  System  of  Mobile  communication,  略称"GSM")、符号分割多元接続(Code  Division  Multiple  Access,  略称"CDMA")システム、広帯域符号分割多元接続(Wideband  Code  Division  Multiple  Access,  略称"WCDMA")システム、汎用パケット無線サービス(General  Packet  Radio  Service,  略称"GPRS")システム、ロング・ターム・エボリューション(Long  Term  Evolution,  略称"LTE")システム、LTE周波数分割複信(Frequency  Division  Duplex,  略称"FDD")システム、LTE時分割複信(Time  Division  Duplex,  略称"TDD")システム、ユニバーサル移動体通信システム(Universal  Mobile  Telecommunication  System,  略称"UMTS")、又はマイクロ波アクセスのための世界的相互運用(Worldwide  Interoperability  for  Microwave  Access，略称"WiMAX")通信システム等の様々な通信システムに適用可能であるということを理解すべきである。
【００５５】
本発明の複数の実施形態においては、ユーザ機器(User  Equipment,  略称"UE")は、端末(Terminal)、移動局(Mobile  Station,  略称"MS")、モバイル端末(Mobile  Terminal)等と称されてもよいということを理解すべきである。ユーザ機器は、無線アクセスネットワーク(Radio  Access  Network,  略称"RAN")を使用することによって1つ又は複数のコアネットワークと通信してもよい。例えば、ユーザ機器は、モバイルフォン(又は、"セルラー"フォンと称される)又はモバイル端末を有するコンピュータであってもよい。例えば、ユーザ機器は、携帯用モバイル装置、ポケットサイズのモバイル装置、ハンドヘルド・モバイル装置、コンピュータ内蔵式のモバイル装置、又は車載用モバイル装置であってもよい。ユーザ機器は、無線アクセスネットワークとの間で音声及び/又はデータを交換する。
【００５６】
本発明の複数の実施形態において、基地局は、GSM又はCDMAにおけるベース・トランシーバー基地局(Base  Transceiver  Station,  略称"BTS")であってもよく、或いは、WCDMAにおける基地局(NodeB,  略称"NB")であってもよく、或いは、LTEにおける進化型基地局(Evolved  Node  B,  略称"eNB"又は"e-NodeB")であってもよい。このことは、本発明においては限定されない。しかしながら、説明を容易にするために、以下の実施形態では、1つの例として、eNBを使用することによって説明を行う。
【００５７】
図1は、LTEシステムの概略図を示し、本発明の1つの実施形態がそのLTEシステムに適用される。図１に示されているように、そのLTEシステムにおいては、基地局11及び基地局12は、無線インターフェイスの無線リソース管理、接続制御、セル管理、及びスケジューリング等の役割を担う。基地局11及び基地局12は、X2インターフェイスを使用することによって通信接続を実行してもよく、S1インターフェイスを使用することによって移動性管理エンティティ(Mobility  Management  Entity,  略称"MME")/サービングゲートウェイ(Serving  GateWay,  略称"SGW")14への通信接続を個別に実行してもよい。さらに、基地局11及び基地局12は、Uuインターフェイスを使用することによってUE13への通信接続をさらに個別に実行してもよい。
【００５８】
上記のLTEシステムは、本発明のこの実施形態での説明の1つの例としてのみ使用されているということを理解すべきである。しかしながら、このことは、本発明においては限定されない。本発明のこの実施形態にしたがった技術的解決方法は、LTE-Aシステム等の他の通信システムに適用されてもよい。図1に示されているLTEシステムにおいては、1つのUE及び2つの基地局のみが、説明のための例として使用されているということをさらに理解すべきである。しかしながら、LTEシステムは、より多くのUE及び基地局をさらに含んでもよい。
【００５９】
図2は、本発明の1つの実施形態にしたがった通信方法100の概略的なフローチャートを示している。方法100は、ユーザ機器によって実行されてもよい。例えば、ユーザ機器は、モバイルフォンである。図2に示されているように、通信方法100は、以下のステップを含む。
【００６０】
S110  ユーザ機器は、第1の指示情報を取得し、それによって、そのユーザ機器は、サービングセルを追加することが可能であるか否かをその第1の指示情報にしたがって決定する。
【００６１】
S120  ユーザ機器が無線リソース制御RRC(Radio  Resource  Control,  略称"RRC")接続モードにある場合に、ユーザ機器は、第1の指示情報に基づいて、サービングセルとして第2のセルを追加することを決定し、そのユーザ機器のサービング基地局は、第1の基地局であり、そのユーザ機器のサービングセルは、第1の基地局の第1のセルである。
【００６２】
S130  ユーザ機器は、第2のセルが属している第2の基地局に第1のメッセージを送信し、第1のメッセージは、ユーザ機器のサービングセルとして第2のセルを追加することを要求するのに使用される。
【００６３】
S140  ユーザ機器は、第2の基地局又は第1の基地局によって送信された第2のメッセージを受信し、第2のメッセージは、ユーザ機器のサービングセルの追加に成功したということを示すのに使用される。
【００６４】
S150  ユーザ機器は、第1のセル及び第2のセルを使用することによって第1の基地局及び第2の基地局と通信する。
【００６５】
すなわち、UEの現在のサービング基地局が第1の基地局であり、そのUEの現在のサービングセルが第1の基地局の第1のセルである場合において、UEがRRC接続モードにあるときは、そのUEは、取得した第1の指示情報に基づいて、UEのサービングセルとして、検出した第2のセルを追加することを決定してもよい。この場合に、UEは、第2のセルが属する第2の基地局に第1のメッセージを送信して、そのユーザ機器のサービングセルとして第2の基地局を追加することを第2の基地局に要求してもよい。UEは、第1の基地局又は第2の基地局によって送信され、そのユーザ機器のサービングセルの追加に成功したということ示すのに使用される第2のメッセージを受信すると、そのUEは、第1のセル及び第2のセルを使用することによって第1の基地局及び第2の基地局と通信してもよい。
【００６６】
したがって、本発明のこの実施形態にしたがった通信方法によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとして自律的にセルを追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【００６７】
S110において、ユーザ機器がアイドル(IDLE)モード又は接続モードにある場合に、そのユーザ機器は、第1の指示情報を取得してもよく、それによって、そのユーザ機器は、その第1の指示情報にしたがって、サービングセルを追加することが可能であるか否かを決定する。第1の指示情報は、ネットワーク・デバイスから送信され、そのUEについてサービングセルを追加することが許可されるか否かを示すのに使用される情報であってもよく、例えば、第1の基地局又は第2の基地局からの指示情報であってもよく、或いは、サービングセルを追加することが可能であるか否かを自律的に決定するために、ユーザ機器によって取得される支援情報又はその他同様の情報であってもよい。詳細については以下で説明される。
【００６８】
具体的には、本発明のこの実施形態においては、ユーザ機器は、第1の基地局から第1の指示情報を取得してもよい。例えば、ユーザ機器は、第1のセルにおいて第1の基地局によってブロードキャストされたシステムメッセージを受信することによって、そのシステムメッセージに含まれる第1の指示情報を取得してもよい。代替的に、ユーザ機器は、第1の基地局によって送信されたRRCメッセージを受信することによって、そのRRCメッセージに含まれる第1の指示情報を取得してもよい。
【００６９】
すなわち、本発明のこの実施形態においては、選択的に、ユーザ機器が第1の指示情報を取得することは、
第1の基地局によって送信される第1のセルのシステムメッセージ又はRRCメッセージをユーザ機器によって受信することと、
そのシステムメッセージ又はそのRRCメッセージに含まれる第1の指示情報を取得することと、を含む。
【００７０】
本発明のこの実施形態においては、第1の基地局がシステムメッセージの形態でUEに第1の指示情報を送信する場合には、第1の基地局は、第1のセルの中のすべてのUEに同じコンテンツを有する第1の指示情報を送信して、シグナリング・オーバーヘッドをさらに低減してもよいということを理解すべきである。一方で、第1の基地局がRRCメッセージの形態でUEに第1の指示情報を送信する場合には、第1の基地局は、第1のセルの中の複数の異なるUEに異なるコンテンツを有する第1の指示情報を送信して、より柔軟にUEに指示を配信してもよい。
【００７１】
このことは、本発明のこの実施形態に関する説明のために1つの例として使用されているにすぎないということを理解すべきである。しかしながら、このことは、本発明においては限定されない。例えば、ユーザ機器は、他のネットワーク・デバイスから第1の指示情報を取得してもよい。他の例では、ユーザ機器は、ユーザによって設定された情報にしたがって第1の指示情報を取得してもよい。さらに他の例では、ユーザ機器は、他の形態で第1の基地局によって送信された第1の指示情報を第1の基地局から受信してもよい。
【００７２】
本発明のこの実施形態においては、ユーザ機器は、取得した第1の指示情報にしたがって、サービングセルを追加することが可能であるか否かを決定してもよい。第1の指示情報は、サービングセルを追加することが許可されるか否かを示すのに使用される情報を含んでいてもよく、サービングセルの追加を許可することについての条件情報を含んでいてもよく、様々なタイプの支援情報をさらに含んでいてもよく、それによって、支援情報にしたがって、ユーザ機器は、サービングセルを追加することが可能であるか否かを自律的に決定し、或いは、サービングセルを追加するための条件を自律的に決定する。以下の記載は、上記の複数の態様を個別に説明する。
【００７３】
例えば、本発明のこの実施形態においては、第1の指示情報は、UEがサービングセルを自律的に追加することを許可されるか否かのみを示してもよい。他の例では、第1の指示情報は、UEが、サービングセルとしていずれの周波数のセルを自律的に追加することを許可されるかを示してもよい。さらに他の例では、第1の指示情報は、UEが、送信経路としていずれの周波数のいずれのセルを自律的に追加することを許可されるかを示してもよい。本発明のこの実施形態においては、第1の指示情報は、サービングセルとしていずれの周波数のセルを自律的に追加することを許可されないかを示してもよいということをさらに理解すべきである。さらに他の例では、第1の指示情報は、UEが、送信経路としていずれの周波数のいずれのセルを自律的に追加することを許可されないかを示して、送信経路としていずれのセルを自律的に追加することを許可されるかを非直接的に示してもよい。簡潔さのために、細部は、本明細書においては説明されない。
【００７４】
本発明のこの実施形態においては、選択的に、第1の指示情報は、セル周波数セットを含み、周波数がそのセル周波数セットに属するセルをサービングセルとして追加することを許可される。選択的に、第1の指示情報は、セル周波数及び物理セル識別子(Physical  Cell  Identity,  略称"PCI")セットを含み、周波数及びPCIがそのセル周波数及びPCIセットに属するセルをサービングセルとして追加することを許可される。
【００７５】
本発明のこの実施形態においては、選択的に、第1の指示情報は、サービングセルを追加することについてのトリガ条件情報、第1の候補セルを示すのに使用される第1の候補セル情報、第2の候補セルを示すのに使用される第2の候補セル情報、第1の候補セルの構成情報、又は第2の候補セルの構成情報といった情報のうちの少なくとも1つを含む。第2の候補セルが属する基地局は、ユーザ機器のコンテキストを有する。
【００７６】
具体的には、例えば、トリガ条件情報は、UEの現在のサービングセルの信号強度の最小閾値を含んでもよい。第1のセルの信号閾値がその最小閾値と比較してより小さい場合には、UEは、サービングセルを追加することを決定してもよい。他の例では、トリガ条件情報は、追加されるべきサービングセルの信号強度閾値を含んでもよい。第2のセルの信号強度がその信号強度閾値と比較して等しいか又はより大きい場合にのみ、UEは、サービングセルとして第2のセルを追加することを考慮してもよい。
【００７７】
第1の候補セルは、UEについてサービングセルを追加するためのトリガ条件と関連していてもよいということを理解すべきである。例えば、UEが第2のセルを検出し、そのUEが、第1の候補セル情報又は第1の候補セルの構成情報にしたがって、第2のセルが第1の候補セルに属しているということを決定することができる場合には、そのUEは、サービングセルを追加することが可能であるということを決定してもよい。第2の候補セルは、そのユーザ機器のコンテキストを有する基地局に属するセルを含んでいてもよい。例えば、UEによって検出された第2のセルが第2の候補セルに属している場合には、そのことは、第1の基地局が、サービングセルを追加する際に遅延を低減するために、第2のセルが属している第2の基地局に関して、前もって、そのUEのコンテキスト情報を準備しているということを意味している。したがって、そのUEは、その第2の候補セルの中のセルをサービングセルとして追加することを優先的に考慮して、ユーザ・イクスペアリアンスをさらに改善してもよい。
【００７８】
上記の例は、本発明のこの実施形態に関する説明のための1つの例として使用されているにすぎないということを理解すべきである。しかしながら、このことは、本発明においては限定されない。本発明のこの実施形態にしたがった第1の指示情報は、他のコンテンツを含んでもよい。例えば、第1の指示情報にしたがって、ユーザ機器が、サービングセルを追加することが可能であるか否かを決定することができる限り、或いは、いずれのサービングセルを追加するべきであるかを決定することができる限り、第1の指示情報は、他の情報を含んでいてもよい。例えば、第1の指示情報は、セル信号強度等の情報を含んでいてもよい。
【００７９】
S120において、ユーザ機器が無線リソース制御(RRC)接続モードにある場合には、ユーザ機器は、第1の指示情報に基づいて、サービングセルとして第2のセルを追加することを決定する。ユーザ機器のサービング基地局は、第1の基地局であり、ユーザ機器のサービングセルは、第1の基地局の第1のセルである。詳細は、図3乃至図8を参照して以下で説明される。
【００８０】
具体的には、図3に示されているように、本発明のこの実施形態において、第1の指示情報は、ユーザ機器のためのサービングセルを追加することが許可されるか否かを示すのに使用される。
【００８１】
ユーザ機器が、第1の指示情報に基づいて、サービングセルとして第2のセルを追加することを決定することは、以下のステップを含む。
【００８２】
S121  第1の指示情報が、ユーザ機器のためのサービングセルを追加することが許可されるということを示している場合に、ユーザ機器は、サービングセルとして第2のセルを追加することを決定する。
【００８３】
本発明のこの実施形態においては、第1の指示情報が、ユーザ機器のためのサービングセルを追加することが許可されていないということを示している場合には、そのユーザ機器は、サービングセルを追加することを自律的に決定することはできないということを理解すべきである。ユーザ機器が、第1のセルの中の第1の基地局によってブロードキャストされているシステムメッセージを受信することによって、そのシステムメッセージに含まれている第1の指示情報を取得する場合には、第1の指示情報は、その第1のセルの中のすべてのユーザ機器がサービングセルを自律的に追加することが可能であるということを示すか、又は、その第1のセルの中のユーザ機器のうちのいずれもがサービングセルを自律的に追加することができないということを示すのに使用されてもよいということをさらに理解すべきである。
【００８４】
本発明のこの実施形態においては、選択的に、図4に示されているように、第1の指示情報は、セル周波数セットを含む。ユーザ機器が、第1の指示情報に基づいて、サービングセルとして第2のセルを追加することを決定することは、特に、以下のステップを含む。
【００８５】
S122  第2のセルの周波数がセル周波数セットに属する場合に、ユーザ機器は、サービングセルとして第2のセルを追加することを決定する。
【００８６】
すなわち、本発明のこの実施形態においては、第1の指示情報は、例えば、セル周波数、物理セル識別子等についての情報等のユーザ機器のためのサービングセルを追加することを許可することについての特定の条件情報を含んでもよい。ユーザ機器によって検出されるセルが条件を満たす場合には、サービングセルを自律的に追加することができる。したがって、ユーザ機器によって検出されるセルがその条件を満たしていない場合には、サービングセルを自律的に追加することはできない。
【００８７】
選択的に、図5に示されているように、本発明のこの実施形態においては、第1の指示情報は、セル周波数及び物理セル識別子PCIセットを含む。ユーザ機器が、第1の指示情報に基づいて、サービングセルとして第2のセルを追加することを決定することは、特に、以下のステップを含む。
【００８８】
S123  第2のセルの周波数及びPCIがセル周波数及びPCIセットに属する場合に、ユーザ機器は、サービングセルとして第2のセルを追加することを決定する。
【００８９】
具体的には、図4に示されている実施形態は、UEのサービングセルとしていずれの周波数のセルを追加することが許可されるかを示してもよい。図5に示されている実施形態は、さらに、UEのサービングセルとしていずれの周波数のいずれのセルを追加することが許可されるかを特に示す。この場合には、ユーザ機器がサービングセルを追加することを許可することについての特定の条件情報は、セルの周波数及びPCIに限定される。
【００９０】
本発明のこの実施形態においては、選択的に、第1の指示情報は、セル周波数セットを含み、周波数がそのセル周波数セットに属するセルをサービングセルとして追加することは、許可されないということをさらに理解するべきである。すなわち、第1の指示情報は、例えば、セル周波数等についての情報等のユーザ機器がサービングセルを追加することを許可しないことについての特定の条件情報を示すのに使用される。ユーザ機器が、第1の指示情報に基づいて、サービングセルとして第2のセルを追加することを決定することは、特に、第2のセルの周波数がセル周波数セットに属していない場合に、サービングセルとして第2のセルを追加することをユーザ機器によって決定することを含む。この事例は、サービングセルとして数少ないセルを追加することのみが許可されない場合に適切である。したがって、ユーザ機器のためのサービングセルを追加することが許可されるか否か、又は、サービングセルとしていずれのセルを追加することが許可されるか否かは、より少ないシグナリングを使用することによって示されてもよく、シグナリング・オーバーヘッドをさらに低減する。
【００９１】
同様に、本発明のこの実施形態においては、選択的に、第1の指示情報は、セル周波数及び物理セル識別子(Physical  Cell  Identity,  略称"PCI")セットを含み、周波数及びPCIがそのセル周波数及びPCIセットに属するセルをサービングセルとして追加することは、許可されない。ユーザ機器が、第1の指示情報に基づいて、サービングセルとして第2のセルを追加することを決定することは、特に、第2のセルの周波数及びPCIがそのセル周波数及びPCIセットに属していない場合に、サービングセルとして第2のセルを追加することをユーザ機器によって決定することを含む。簡潔さのために、細部は、本明細書においては説明されない。
【００９２】
本発明のこの実施形態においては、ユーザ機器は、他の情報を参照して、サービングセルを追加することが可能であるか否かを決定し、又は、サービングセルとしていずれのセルを追加するかを決定してもよい。例えば、新たに検出されたセルの信号が十分に強いということを決定する場合に、ユーザ機器は、サービングセルとしてそのセルを追加するか否かを決定してもよい。他の例では、ユーザ機器は、新たに検出されたセルが属する基地局によって送信された他の情報に基づいて、サービングセルとしてそのセルを追加することが可能であるか否かを決定してもよい。
【００９３】
選択的に、本発明のこの実施形態においては、図6に示されているように、通信方法100は、以下のステップをさらに含む。
【００９４】
S160  ユーザ機器は、第2の基地局によって送信された第2の指示情報を受信し、第2の指示情報は、第1のセルセットを示すのに使用される。
【００９５】
ユーザ機器が、第1の指示情報に基づいて、サービングセルとして第2のセルを追加することを決定することは、以下のステップを含む。
【００９６】
S124  第1のセルが第1のセルセットに属する場合に、ユーザ機器は、第1の指示情報に基づいて、サービングセルとして第2のセルを追加することを決定する。
【００９７】
具体的には、その第1のセルセットに含まれるセルの中のユーザ機器のためのサービングセルとして第2のセルを追加することが、許可される、すなわち、UEのサービングセル(プライマリセル)が第1のセルセットの中のセルである場合にのみ、そのUEは、第2のセルを自律的に追加することができる。この解決方法は、1つの利点を有し、その利点は、例えば、いかなるX2インターフェイスも存在しない、或いは、第2のセルと第1のセルとの間でデータが到達可能でない場合といったように、そのUEのためのサービングセルとしてセルのすべてを追加することが可能でない場合に、第2の指示情報を使用することによって、そのUEがサービングセルを自律的に追加することに関する成功率を改善することが可能であるという利点である。
【００９８】
本発明のこの実施形態においては、選択的に、第1のセルセットを示すのに第2の指示情報を使用するということをさらに理解すべきである。第1のセルセットに含まれるセルの中のユーザ機器のためのサービングセルとして第2のセルを追加することは、許可されない、すなわち、第1のセルセットは、ブラックリストセルである。ユーザ機器が、第1の指示情報に基づいて、サービングセルとして第2のセルを追加することを決定することは、第1のセルが第1のセルセットに属していない場合に、第1の指示情報に基づいて、サービングセルとして第2のセルを追加することをそのユーザ機器によって決定することを含む。サービングセルとしてより多くに隣接セルである第2のセルを追加することが許可される一方で、わずかな隣接セルを追加することが許可されないシナリオに対して、上記の方法はよりよくあてはまる。したがって、システムのシグナリング・オーバーヘッドをさらに低減することが可能である。
【００９９】
本発明のこの実施形態においては、選択的に、図7に示されているように、通信方法100は、以下のステップをさらに含む。
【０１００】
S170  ユーザ機器は、第2の基地局によって送信された第3の指示情報を受信し、第3の指示情報は、第2のセルがライセンス補助アクセス(License  Assisted  Access,  略称"LAA")セルに属しているか否かを示すのに使用され、及び/又は第2のセルの相関セル情報を示すのに使用される。
【０１０１】
ユーザ機器が、第1の指示情報に基づいて、サービングセルとして第2のセルを追加することを決定することは、以下のステップを含む。
【０１０２】
S125  第2のセルがLAAセルに属し、及び/又は第1のセルが第2のセルの相関セルであるということを決定する場合に、ユーザ機器は、第1の指示情報に基づいて、サービングセルとして第2のセルを追加することを決定する。
【０１０３】
本発明のこの実施形態においては、LAAセルは、免許付与されていないスペクトラム応答を使用するセルであるということを理解すべきである。そのセルは、独立して動作することができず、免許付与されたスペクトラム応答を使用するセルの支援のもとで動作することを必要とする。免許付与されたスペクトラム応答を使用し、LAAセルを支援するセルは、そのLAAセルの相関セルである。すなわち、そのLAAセルは、そのLAAセルの相関セルの支援のもとで動作することを必要とする。
【０１０４】
本発明のこの実施形態においては、1つ又は複数のタイプの上記の第1の指示情報に基づいて、ユーザ機器は、サービングセルを追加することが可能であるか否かを包括的に決定してもよく、又は、サービングセルとして第2のセルを追加することが可能であるか否かをさらに決定してもよいということを理解すべきである。本発明のこの実施形態においては、第1の指示情報に加えて第2の指示情報及び/又は第3の指示情報に基づいて、ユーザ機器は、サービングセルを追加することが可能であるか否かを決定してもよく、又は、サービングセルとして第2のセルを追加することが可能であるか否かを決定してもよいということをさらに理解すべきである。簡潔さのために、本明細書においては、細部は説明されない。
【０１０５】
本発明のこの実施形態においては、サービングセルを追加することは、ユーザ機器と基地局との間の通信のための送信経路を追加することを示す又は指すための1つの例として使用されているに過ぎないということをさらに理解すべきである。もちろん、例えば、セカンダリセルを追加すること又は送信チャネルを追加すること等の他の名前又は名称を使用してもよい。
【０１０６】
加えて、無線インターフェイスにおける動作は、ユーザ機器のためのサービングセルを追加することであるということをさらに理解すべきである。一方で、複数の基地局の間でのX2インターフェイスにおける送信経路は、セルが最初に追加された際に限って、UEについて設定される必要があり、そのUEのサービングセルは、関係がなく、第1の基地局は、第2の基地局に追加されたサービングセルの数を知る必要さえない。したがって、この文脈においては、理解を容易にするために、サービングセルを追加することは、ユーザ機器のための表現であり、送信経路を追加することは、基地局のための表現である。
【０１０７】
したがって、本発明のこの実施形態にしたがった通信方法によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０１０８】
本発明のこの実施形態においては、ユーザ機器によって検出される第2のセル及びユーザ機器に現在サービスを提供している第1のセルは、同じ基地局に属していてもよく、又は、異なる基地局に属していてもよい。すなわち、本発明のこの実施形態においては、第1の基地局及び第2の基地局は、同じ基地局であってもよく、又は、異なる基地局であってもよい。以下の記載は、第1の基地局及び第2の基地局が同じ基地局である場合を詳細に説明する。
【０１０９】
具体的には、図8に示されているように、本発明のこの実施形態においては、選択的に、第1の基地局及び第2の基地局は、同じ基地局であり、第1の指示情報は、第2のセルセットを示すのに使用され、第2のセルセットに含まれるセルは、第1の基地局のセルである。
【０１１０】
ユーザ機器が、第1の指示情報に基づいて、サービングセルとして第2のセルを追加することを決定することは、以下のステップを含む。
【０１１１】
S126  第2のセルが第2のセルセットに属している場合に、ユーザ機器は、サービングセルとして第2のセルを追加することを決定する。
【０１１２】
すなわち、UEが基地局の第1のセルへの接続を確立する場合に、そのUEは、第1のセルを使用することによって基地局によって送信された第1の指示情報を受信してもよい。第1の指示情報は、第2のセルセットを示すのに使用され、第2のセルセットに含まれているセルは、第1の基地局のセルである。例えば、第2のセルの信号が十分に強い場合といったように、UEが第2のセルを検出し、通信に第2のセルを使用することが可能であるということを決定する場合には、そのUEは、第2のセルが第2のセルセットに属しているか否かを決定する。第2のセルが第2のセルセットに属している場合には、ユーザ機器は、サービングセルとして第2のセルを追加することを自律的に決定してもよい。第2のセルが第2のセルセットに属していない場合には、サービングセルとして第2のセルを追加することは不可能である。
【０１１３】
他の情報に基づいて、ユーザ機器は、サービングセルを追加することが可能であるか否かを決定してもよく、又は、サービングセルとして第2のセルを追加することが可能であるか否かを決定してもよいということを理解すべきである。簡潔さのために、本明細書においては、細部は説明されない。
【０１１４】
S130において、ユーザ機器は、第2のセルが属している第2の基地局に第1のメッセージを送信し、第1のメッセージは、ユーザ機器のサービングセルとして第2のセルを追加することを要求するのに使用される。したがって、第2の基地局は、第1の基地局と情報を交換することが可能であり、それによって、そのユーザ機器のサービングセルとして第2のセルを追加することが可能である。
【０１１５】
本発明のこの実施形態においては、選択的に、第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。
【０１１６】
具体的には、第1のセルのセル識別子情報は、第1の基地局を識別するのに使用されてもよい。この場合には、第2の基地局は、第1のメッセージの中のセル識別子情報にしたがって第1の基地局を見つけ出してもよい。一方で、第2の基地局は、他の情報にしたがって第1の基地局を決定してもよいということを理解すべきである。
【０１１７】
本発明のこの実施形態においては、ユーザ機器を識別するのに、そのユーザ機器の識別子情報を使用してもよい。例えば、識別子情報は、セル無線ネットワーク一時識別子(Cell-Radio  Network  Temporary  Identifier,  略称"C-RNTI")である。そのユーザ機器に対して認証を実行するのに、第1の認証情報を使用してもよい。例えば、具体的には、第1の基地局は、第2の基地局によって送信されたC-RNTIにしたがって対応するUEのコンテキストを見つけ出してもよく、第1の認証情報にしたがってそのUEに対して認証を実行してもよい。すなわち、第1の基地局は、そのUEがそのコンテキストのUEであるか否かを決定する。そのUEがそのコンテキストのUEである場合には、そのUEのサービングセルを追加し、そのUEがそのコンテキストのUEでない場合には、サービングセルを追加することを拒否し、攻撃者がそのUEであるふりをして、サービングセルの追加を要求することを防止する。
【０１１８】
本発明のこの実施形態においては、ユーザ機器に対して認証を実行するのに、すなわち、サービングセルを追加することを要求するUEの正当性を決定するのに、第1の認証情報を使用して、ネットワークセキュリティを強化するということを理解すべきである。
【０１１９】
S140において、ユーザ機器は、第2の基地局又は第1の基地局によって送信された第2のメッセージを受信し、第2のメッセージは、ユーザ機器のサービングセルの追加に成功したということを示すのに使用される。
【０１２０】
本発明のこの実施形態においては、選択的に、第2のメッセージは、ネットワークに対して認証を実行するのに使用される第2の認証情報を含む。具体的には、UEは、鍵に基づいて、第2の認証情報が正しいか否かを検証してもよい。第2の認証情報が正しくないということが確認された場合には、UEは、その情報を送信している基地局が偽の基地局である可能性があるということを示し、そのUEは、この通信経路を切断して、ユーザデータのセキュリティを保証する。本発明のこの実施形態においては、ネットワークに対して認証を実行するのに、すなわち、第2のメッセージを送信する第1の基地局又は第2の基地局の正当性を決定するのに、第2の認証情報を使用して、ネットワークセキュリティを強化するということを理解すべきである。
【０１２１】
本発明のこの実施形態においては、ユーザ機器のサービングセルの追加に成功した後に、第1の基地局及び第2の基地局の双方は、そのユーザ機器と通信することが可能である。したがって、第1の基地局又は第2の基地局は、そのユーザ機器に第2のメッセージを送信して、サービングセルの追加に成功したということを示してもよく、それによって、ユーザ機器は、第2の基地局を使用することによって第1の基地局と通信することができ、例えば、ユーザ機器は、第1の基地局とのデータ送信を実行することができる。
【０１２２】
S150において、ユーザ機器は、第1のセル及び第2のセルを使用することによって第1の基地局及び前記第2の基地局と通信してもよい。一方で、ユーザ機器は、第1のセル及び/又は第2のセルを使用することによって、第1の基地局及び/又は第2の基地局と通信してもよいということを理解すべきである。
【０１２３】
例えば、ユーザ機器は、第1のセルを使用することによって第1の基地局と通信してもよく、また、ユーザ機器は、第2のセルを使用することによって第2の基地局と通信してもよい。他の例では、ユーザ機器は、第2のセルを使用することによって第2の基地局に情報を送信してもよく、そして、第2の基地局を使用することによって第1の基地局にその情報をさらに転送してもよく、それによって、ユーザ機器は、第2のセルを使用することによって第1の基地局と通信することができる。さらに他の例では、ユーザ機器は、第1のセルを使用することによって第1の基地局に情報を送信してもよく、そして、第1の基地局を使用することによって第2の基地局にその情報をさらに転送してもよく、それによって、ユーザ機器は、第1のセルを使用することによって第2の基地局と通信することができる。
【０１２４】
本発明のこの実施形態においては、選択的に、第2のメッセージは、ネットワークに対して認証を実行するのに使用される第2の認証情報を含む。
【０１２５】
ユーザ機器が、第1のセル及び第2のセルを使用することによって第1の基地局及び第2の基地局と通信することは、
第2の認証情報に基づく認証に成功した後に、ユーザ機器によって、第1のセル及び第2のセルを使用することによって第1の基地局及び第2の基地局と通信することを含む。
【０１２６】
上記の複数のプロセスのシーケンス番号は、本発明のさまざまな実施形態における実行シーケンスを意味するものではないということを理解すべきである。それらの複数のプロセスの実行シーケンスは、それらのプロセスの機能及び内部ロジックにしたがって決定されるべきであり、本発明の複数の実施形態の複数の実装プロセスに何らかの限定を付すものと解釈されるべきではない。
【０１２７】
したがって、本発明のこの実施形態にしたがった通信方法によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０１２８】
図9乃至図11Dを参照して、以下の記載では、本発明の1つの実施形態にしたがった通信方法の対話手順及びいくつかの可能なユーザプレーン・プロトコルスタックを詳細に説明する。
【０１２９】
図9に示されているように、S21において、UEは、第1の基地局の第1のセルへの通信接続を確立する。この場合に、第1のセルは、UEの現在のサービングセル(又は、プライマリセルと称される)であり、UEのサービング基地局は、第1の基地局である。
【０１３０】
S22において、UEは、第1の指示情報を取得する。例えば、UEは、第1の基地局によって送信されたシステムメッセージ又はRRCメッセージから第1の指示情報を取得し、それによって、UEは、第1の指示情報にしたがって、サービングセルを追加することが可能であるか否かを決定する。
【０１３１】
S23において、UEは、データの送信に第2のセルを使用することが可能であるということを検出する。例えば、第2のセルの信号の強度が十分に大きい。他の例では、第2のセルの信号強度が信号強度閾値と比較してより大きい。
【０１３２】
S24において、例えば、選択的に、UEは、第2のセルのシステム情報から第2の指示情報を取得する。第2の指示情報は、セル又はセルリストを示すのに使用される。UEのサービングセル(プライマリセル)がそのセル又はそのセルリストの中のセルである場合にのみ、そのUEは、サービングセルとして第2のセルを自律的に追加し、UEが送信経路を自律的に追加する際の成功率を改善する。
【０１３３】
S25において、選択的に、UEは、第2の基地局によって送信された第3の指示情報を、第2のセルを使用することによって取得してもよく、それによって、そのUEは、第3の指示情報にしたがって、サービングセルを自律的に追加するか否かを決定する。すなわち、第3の指示情報は、UEがサービングセルを追加するか否かを決定するのを支援するのに使用されてもよい。
【０１３４】
S26において、UEは、第1の指示情報に基づいて、サービングセルとして第2のセルを自律的に追加することが可能であるか否かを決定してもよい。さらに、UEは、第2の指示情報及び/又は第3の指示情報に基づいて、サービングセルとして第2のセルを自律的に追加することが可能であるか否かを決定してもよい。UEが、サービングセルとして第2のセルを自律的に追加することが可能であるということを決定する場合には、手順は、S27に進み、UEが、サービングセルとして第2のセルを自律的に追加することが可能ではないということを決定する場合には、手順は終了する。
【０１３５】
S27において、UEは、第2のセルにおいてランダムアクセスチャネル(Random  Access  Channel,  略称"RACH")手順を開始する。
【０１３６】
S28において、UEは、第2のセルの中の第2の基地局に、経路追加要求、サービングセル追加要求、又はセカンダリセル追加要求等の第1のメッセージを送信して、そのユーザ機器のサービングセルとして第2のセルを追加することを要求する。好ましくは、第1のメッセージは、第1のセルのセル識別子情報、そのユーザ機器の識別子情報、及びそのユーザ機器に対して認証を実行するのに使用される第1の認証情報を含む。例えば、第1のメッセージは、(周波数及びPCI等の)第1のセル情報、第1のセルにおけるそのUEのC-RNTI、及び第1の認証情報を搬送してもよい。
【０１３７】
S29において、第2の基地局は、第1のメッセージにしたがって第1の基地局に第3のメッセージを送信してもよく、第3のメッセージは、ユーザ機器のための送信経路を追加することを第1の基地局に要求するのに使用される。選択的に、第3のメッセージは、ユーザ機器の識別子情報及び/又は第1の認証情報を含む。選択的に、第3のメッセージは、そのユーザ機器のダウンリンクGPRSトンネリング・プロトコル(GPRS  Tunneling  Protocol,  略称"GTP")トンネル・アドレス情報をさらに含んでもよい。
【０１３８】
例えば、具体的には、第2の基地局は、第1のメッセージの中の第1のセル情報にしたがって第1の基地局を見つけ出し、その第1の基地局に(経路追加要求メッセージ等の)第3のメッセージを送信してもよく、UEのための送信経路を追加することを第1の基地局に要求してもよい。第3のメッセージは、第1のメッセージの中のC-RNTI及び第1の認証情報を搬送してもよい。第1の認証情報は、UEと第1の基地局との間の鍵に基づいてUEによって生成される。代替的に、第2の基地局は、第1のメッセージの中の第1のセル情報にしたがって、対応する制御プレーン・アンカーを見つけ出し、その制御プレーン・アンカーに第3のメッセージを送信してもよい。
【０１３９】
本発明のこの実施形態においては、第3のメッセージは、追加されるべき第2のセルの関連する情報を搬送しなくてもよい、すなわち、第1の基地局は、第2の基地局の追加されるべきセルに関心を持たなくてもよく、結合の度合いを減少させてもよい。
【０１４０】
S30において、第1の基地局は、UEを特定してもよい。例えば、具体的には、第1の基地局は、第1のメッセージの中のC-RNTIにしたがって、UEのコンテキストを見つけ出してもよく、さらに、第1の認証情報にしたがってそのUEに対して認証を実行してもよく、そのUEがそのコンテキストのUEであるか否かを決定してもよい。その認証が失敗した場合には、その要求を拒否し、攻撃者がそのUEであるふりをして、サービングセルの追加を要求することを防止する。その認証が成功した場合には、手順は、S31に進む。
【０１４１】
S31において、第1の基地局は、第3のメッセージにしたがって、第2の基地局に第4のメッセージを送信してもよく、第4のメッセージは、ユーザ機器の送信経路の追加に成功したということを示すのに使用される。
【０１４２】
具体的には、認証に成功した場合には、第1の基地局は、第2の基地局に第4のメッセージを送信してもよい。第4のメッセージは、第3のメッセージの応答メッセージであり、そのUEのサービングセルの追加に成功したということを第2の基地局に知らせるのに使用される。
【０１４３】
選択的に、第4のメッセージは、ユーザ機器の1つ又は複数のタイプのベアラ情報を含む。ユーザ機器のベアラ情報は、以下の情報、すなわち、ユーザ機器のベアラ識別子情報、ユーザ機器のベアラのサービス品質(Quality  of  Service,  略称"QoS")情報、又はユーザ機器のアップリンクGPRSトンネリング・プロトコル(GTP)トンネル・アドレス情報のうちの少なくとも1つを含む。したがって、第2の基地局は、そのUEのベアラのQoS情報を取得することが可能であり、それによって、無線インターフェイスのスケジューリングの間にそのUEのQoSを考慮することが可能である。したがって、ユーザ・イクスペアリアンスを改善することが可能である。もちろん、第4のメッセージは、ベアラ情報を搬送しなくてもよいが、アップリンクGTPトンネル・アドレス情報のみを搬送してもよく、単一のデータ送信トンネルを確立してもよい。この方法により、上記の解決方法は、より単純となり、動作がより容易となる。
【０１４４】
選択的に、第4のメッセージは、第2の認証情報を搬送し、第2の認証情報は、第1の基地局とUEとの間の鍵に基づいて、第1の基地局によって生成されてもよい。
【０１４５】
S29及びS30において、それぞれのX2アプリケーション・プロトコル(X2  Application  Protocol,  略称"X2AP")IDを交換して、複数の基地局の間でX2接続を確立してもよい。
【０１４６】
S32において、選択的に、第2の基地局は、第1の基地局に第5のメッセージを送信し、第5のメッセージは、ユーザ機器のダウンリンクGTPトンネル・アドレス情報を含む。
【０１４７】
具体的には、第4のメッセージがUEのベアラ情報を搬送する場合に、第2の基地局は、第1の基地局に第5のメッセージを送信してもよい。そのUEのベアラに対応するダウンリンクGTPトンネル・アドレスを第1の基地局に知らせるのに、第5のメッセージを使用してもよい、すなわち、第5のメッセージは、そのUEのベアラに対応するダウンリンクGTPトンネル・アドレスを搬送してもよい。第4のメッセージがUEのベアラ情報を搬送しない場合には、上記のステップは要求されない。
【０１４８】
S33において、第2の基地局は、ユーザ機器に第2のメッセージを送信し、第2のメッセージは、第1のメッセージの応答メッセージであり、ユーザ機器のサービングセルの追加に成功したということを示すのに使用される。選択的に、第4のメッセージが第2の認証情報を搬送する場合には、第2のメッセージも、また、第2の認証情報を搬送する。
【０１４９】
S34において、選択的に、第2のメッセージが第2の認証情報を搬送する場合には、UEは、そのUEと第1の基地局との間の鍵に基づいて、第2の認証情報に対する検証を実行する。その検証に失敗した場合には、UEは、第2の基地局が偽の基地局である可能性があるということを示し、そのUEは、この通信経路を切断して、ユーザデータのセキュリティを保証する。その検証に成功した場合には、手順は、S35に進む。
【０１５０】
S35において、UEは、第2の基地局と通信し、例えば、第2のセルを使用することによって第2の基地局とのデータ送信を実行する。
【０１５１】
S36において、第2の基地局は、第1の基地局と通信し、例えば、第2の基地局は、第1の基地局にデータを転送し、そして、第1の基地局は、そのデータを複合してソートしてもよい。
【０１５２】
図9を参照して、複数の基地局の間で送信経路を追加する技術的解決方法を説明したが、以下の記載では、図10を参照して、1つの基地局において送信経路を追加する技術的解決方法を説明する。図10に示されているように、図10は、本発明の1つの実施形態にしたがった通信方法のさらなる概略的なフローチャートである。UEがサービングセルとして追加しようと準備している第2の基地局及び現在のサービングセルは、同じ基地局に属する。
【０１５３】
S51において、UEは、第1の基地局の第1のセルへの通信接続を確立する。この場合に、第1のセルは、UEの現在のサービングセル(又は、プライマリセルと称される)であり、UEのサービング基地局は、第1の基地局である。
【０１５４】
S52において、UEは、第1の基地局によって送信された第1の指示情報を、第1のセルを使用することによって取得し、第1の指示情報は、第2のセルセットを示すのに使用され、第2のセルセットに含まれるセルは、第1の基地局のセルである。
【０１５５】
S53において、UEは、データの送信に第2のセルを使用することが可能であるということを検出する。例えば、第2のセルの信号の強度が十分に大きい。他の例では、第2のセルの信号強度が信号強度閾値と比較してより大きい。第2のセルが第2のセルセットに属している場合には、UEは、サービングセルとして第2のセルを追加することを決定してもよい。
【０１５６】
S54において、UEは、第2のセルにおいてランダムアクセスチャネル(Random  Access  Channel,  略称"RACH")手順を開始する。
【０１５７】
S55において、UEは、第2のセルの中の第1の基地局に、経路追加要求、サービングセル追加要求、又はセカンダリセル追加要求等の第1のメッセージを送信して、そのユーザ機器のサービングセルとして第2のセルを追加することを要求する。好ましくは、第1のメッセージは、第1のセルのセル識別子情報、そのユーザ機器の識別子情報、及びそのユーザ機器に対して認証を実行するのに使用される第1の認証情報を含む。例えば、第1のメッセージは、(周波数及びPCI等の)第1のセル情報、第1のセルにおけるそのUEのC-RNTI、及び第1の認証情報を搬送してもよい。
【０１５８】
S56において、第1の基地局は、UEを特定してもよい。例えば、具体的には、第1の基地局は、第1のメッセージの中のC-RNTIにしたがって、UEのコンテキストを見つけ出してもよく、さらに、第1の認証情報にしたがってそのUEに対して認証を実行してもよく、そのUEがそのコンテキストのUEであるか否かを決定してもよい。その認証が失敗した場合には、その要求を拒否し、攻撃者がそのUEであるふりをして、サービングセルの追加を要求することを防止する。その認証が成功した場合には、手順は、S57に進む。
【０１５９】
S57において、第1の基地局は、第2のセルを使用することによってユーザ機器に第2のメッセージを送信し、第2のメッセージは、第1のメッセージの応答メッセージであり、ユーザ機器のサービングセルの追加に成功したということを示すのに使用される。
【０１６０】
S58において、UEは、第1のセル及び第2のセルを使用することによって第1の基地局と通信してもよい。
【０１６１】
本発明のこの実施形態において、UEは、パケット・データ・コンバージェンス・プロトコル(Packet  Data  Convergence  Protocol,  略称"PDCP")層において分割を実行してもよく、又は、無線リンク制御(Radio  Link  Control,  略称"RLC")層において分割を実行してもよい。具体的には、UEがPDCP層において分割を実行する場合に存在するユーザ・プレーン・プロトコル・スタックは、図11Aのように示すことができる。ベアラGTPトンネルが、X2インターフェイスによって確立される。MACは、メディアアクセス制御(Media  Access  Control,  略称"MAC")層を表す。PHYは、物理層(Physical  Layer)を表す。UEがRLC層において分割を実行する場合に存在するユーザ・プレーン・プロトコル・スタックは、図11Bのように示すことができる。ベアラGTPトンネルは、X2インターフェイスによって確立される。
【０１６２】
他の態様において、ベアラGTPトンネルのすべてがX2インターフェイスによっては確立されないが、均一のトンネルのみがX2インターフェイスによって確立される場合に、アダプテーション層(Adapter)は、第2の基地局と第1の基地局との間に追加される必要がある。アダプテーション層においては、各々のパケットのベアラ情報は、パケットヘッダに配置され、それによって、(アップリンクデータについては)第1の基地局又は(ダウンリンクデータについては)UEが、データパケットのベアラを知ることができ、復号を実行する。具体的には、UEがPDCP層において分割を実行する場合に存在するユーザ・プレーン・プロトコル・スタックは、図11Cのように示すことができる。均一のトンネルが、X2インターフェイスによって確立される。UEがRLC層において分割を実行する場合に存在するユーザ・プレーン・プロトコル・スタックは、図11Dのように示すことができる。均一のトンネルが、X2インターフェイスによって確立される。
【０１６３】
したがって、本発明のこの実施形態にしたがった通信方法によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０１６４】
上記の複数のプロセスのシーケンス番号は、本発明のさまざまな実施形態における実行シーケンスを意味するものではないということを理解すべきである。それらの複数のプロセスの実行シーケンスは、それらのプロセスの機能及び内部ロジックにしたがって決定されるべきであり、本発明の複数の実施形態の複数の実装プロセスに何らかの限定を付すものと解釈されるべきではない。
【０１６５】
本発明のこの実施形態においては、UEは、また、第2のセルを削除するか否かを自律的に決定してもよい、すなわち、そのUEのサービングセルとして第2のセルをそれ以上使用しないということを自律的に決定してもよいということをさらに理解すべきである。例えば、第2のセルの信号が貧弱になった場合に、UEは、第2のセルを削除するコマンドを第2の基地局に直接的に送信してもよい。しかしながら、第2のセルの信号が著しく貧弱である場合があるため、第2の基地局にそのコマンドを送信することを失敗する場合がある。したがって、好ましくは、UEは、第2のセルを削除するコマンドを第1の基地局に送信してもよく、その後、第1の基地局は、関連するUEのコンテキストを削除するように第2の基地局に指示してもよい。
【０１６６】
本発明のこの実施形態においては、第1の基地局は、UEに対して、第2のセルを削除するコマンドを積極的に開始してもよいということをさらに理解すべきである。例えば、第1の基地局がハンドオーバーを実行することを決定する場合、又は、UEがハンドオーバーコマンドを受信する場合に、第2のセルは自動的に削除されてもよく、第1の基地局は、関連するUEのコンテキストを削除するように第2の基地局に指示してもよい。
【０１６７】
したがって、本発明のこの実施形態においては、UEは、サービングセルを追加するか又は削除するかを自律的に決定することが可能であり、それによって、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０１６８】
上記では、図1乃至図8を参照して、ユーザ機器の視点から、本発明の1つの実施形態にしたがった通信方法を詳細に説明しており、また、図9乃至図11Dを参照して、ユーザ機器と基地局との間の対話手順を説明している。以下では、図12乃至図16を参照して、第2の基地局及び第1の基地局の視点から、本発明の複数の実施形態にしたがった複数の通信方法を個別に説明する。
【０１６９】
図12は、本発明の他の実施形態にしたがった通信方法200の概略的なフローチャートを示している。方法200は、基地局によって実行されてもよい。例えば、その基地局は、eNBである。図12に示されているように、通信方法200は、以下のステップを含む。
【０１７０】
S210  第2の基地局は、ユーザ機器によって送信された第1のメッセージを受信し、その第1のメッセージは、ユーザ機器のサービングセルとして第2の基地局の第2のセルを追加することを要求するのに使用され、ユーザ機器は、無線リソース制御(RRC)接続モードにあり、ユーザ機器のサービング基地局は、第1の基地局であり、ユーザ機器のサービングセルは、第1の基地局の第1のセルである。
【０１７１】
S220  第2の基地局は、ユーザ機器に第2のメッセージを送信し、その第2のメッセージは、ユーザ機器のサービングセルの追加に成功したということを示すのに使用される。
【０１７２】
S230  第2の基地局は、第2のセルを使用することによってユーザ機器と通信する。
【０１７３】
具体的には、本発明のこの実施形態において、ユーザ機器が無線リソース制御(RRC)接続モードにある場合において、ユーザ機器がそのユーザ機器のサービングセルとして第2のセルを追加することを自律的に決定するときは、そのユーザ機器は、第2のセルが属する第2の基地局にサービングセル追加要求を送信してもよい。この場合には、第2の基地局は、ユーザ機器によって送信された第1のメッセージを受信してもよく、第2の基地局がユーザ機器のためのサービングセルを追加した後に、そのユーザ機器に第2のメッセージを送信して、サービングセルの追加に成功したということを示してもよい。したがって、ユーザ機器は、第1のセルを使用することによって第1の基地局と通信することが可能であるのみならず、第2のセルを使用することによって第2の基地局と通信することも可能である。
【０１７４】
したがって、本発明のこの実施形態にしたがった通信方法によれば、第2の基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０１７５】
本発明のこの実施形態においては、選択的に、図13に示されているように、通信方法200は、以下のステップをさらに含む。
【０１７６】
S260  第2の基地局は、ユーザ機器に第2の指示情報を送信し、第2の指示情報は、第1のセルセットを示すのに使用される。
【０１７７】
第2の基地局が、ユーザ機器によって送信された第1のメッセージを受信することは、以下のステップを含む。
【０１７８】
S211  ユーザ機器が、第2の指示情報にしたがって、第1のセルが第1のセルセットに属しているということを決定する場合に、第2の基地局は、ユーザ機器によって送信された第1のメッセージを受信する。
【０１７９】
具体的には、その第1のセルセットに含まれるセルの中のユーザ機器のためのサービングセルとして第2のセルを追加することが、許可される、すなわち、UEのサービングセル(プライマリセル)が第1のセルセットの中のセルである場合にのみ、そのUEは、第2のセルを自律的に追加することができる。この解決方法は、1つの利点を有し、その利点は、例えば、いかなるX2インターフェイスも存在しない、或いは、第2のセルと第1のセルとの間でデータが到達可能でない場合といったように、そのUEのためのサービングセルとしてセルのすべてを追加することが可能でない場合に、第2の指示情報を使用することによって、そのUEがサービングセルを自律的に追加することに関する成功率を改善することが可能であるという利点である。
【０１８０】
選択的に、本発明のこの実施形態においては、図14に示されているように、通信方法200は、以下のステップをさらに含む。
【０１８１】
S270  第2の基地局は、ユーザ機器に第3の指示情報を送信し、第3の指示情報は、第2のセルがライセンス補助アクセスLAAセルに属しているか否かを示すのに使用され、及び/又は第2のセルの相関セル情報を示すのに使用される。
【０１８２】
第2の基地局が、ユーザ機器によって送信された第1のメッセージを受信することは、以下のステップを含む。
【０１８３】
S212  ユーザ機器が、第2のセルがLAAセルに属し、及び/又は第1のセルが第2のセルの相関セルであるということを決定する場合に、第2の基地局は、ユーザ機器によって送信された第1のメッセージを受信する。
【０１８４】
本発明のこの実施形態においては、選択的に、第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。
【０１８５】
本発明のこの実施形態においては、選択的に、図15に示されているように、通信方法200は、以下のステップをさらに含む。
【０１８６】
S240  第2の基地局は、第1のメッセージにしたがって、第1の基地局に第3のメッセージを送信し、その第3のメッセージは、ユーザ機器のための送信経路を追加することを第1の基地局に要求するのに使用される。
【０１８７】
S250  第2の基地局は、第3のメッセージにしたがって、第1の基地局によって送信された第4のメッセージを受信し、その第4のメッセージは、ユーザ機器の送信経路の追加に成功したということを示すのに使用される。
【０１８８】
具体的には、本発明のこの実施形態においては、選択的に、第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。第3のメッセージは、ユーザ機器の識別子情報及び/又は第1の認証情報を含む。
【０１８９】
例えば、ユーザ機器によって送信され、第2の基地局によって受信された第1のメッセージは、(周波数及びPCI等の)第1のセル情報、第1のセルにおけるUEのC-RNTI、及び第1の認証情報を搬送してもよい。例えば、第2の基地局は、第1のメッセージの中の第1のセル情報にしたがって第1の基地局を見つけ出し、その第1の基地局に第3のメッセージを送信してもよく、UEのためのサービングセルを追加することを第1の基地局に要求してもよい。第3のメッセージは、第1のメッセージの中のC-RNTI及び第1の認証情報を搬送してもよい。第1の認証情報は、UEと第1の基地局との間の鍵に基づいてUEによって生成される。代替的に、第2の基地局は、第1のメッセージの中の第1のセル情報にしたがって、対応する制御プレーン・アンカーを見つけ出し、その制御プレーン・アンカーに第3のメッセージを送信してもよい。
【０１９０】
本発明のこの実施形態においては、選択的に、第3のメッセージは、追加されるべき第2のセルの関連する情報を搬送しなくてもよい、すなわち、第1の基地局は、第2の基地局の追加されるべきセルに関心を持たなくてもよく、結合の度合いを減少させてもよい。
【０１９１】
本発明のこの実施形態においては、選択的に、第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０１９２】
したがって、第2の基地局は、そのUEのベアラのQoS情報を取得することが可能であり、それによって、無線インターフェイスのスケジューリングの間にそのUEのQoSを考慮することが可能である。したがって、ユーザ・イクスペアリアンスを改善することが可能である。もちろん、第4のメッセージは、上記の情報を搬送しなくてもよい。この方法により、上記の解決方法は、より単純となり、動作がより容易となる。
【０１９３】
選択的に、第4のメッセージは、第2の認証情報を搬送し、第2の認証情報は、第1の基地局とUEとの間の鍵に基づいて、第1の基地局によって生成されてもよい。
【０１９４】
本発明のこの実施形態においては、選択的に、通信方法は、第2の基地局によって第1の基地局に第5のメッセージを送信するステップをさらに含み、第5のメッセージは、ユーザ機器のダウンリンクGTPトンネル・アドレス情報を含む。
【０１９５】
本発明のこの実施形態においては、第2の基地局は、第3のメッセージを使用することによって、ユーザ機器にダウンリンクGTPトンネル・アドレス情報を送信してもよいということを理解すべきである。すなわち、本発明のこの実施形態においては、選択的に、第3のメッセージは、ユーザ機器のダウンリンクGTPトンネル・アドレス情報を含む。
【０１９６】
本発明のこの実施形態においては、選択的に、第4のメッセージ及び第2のメッセージは、ネットワークに対して認証を実行するのに使用される第2の認証情報を含む。
【０１９７】
第2の基地局が、第2のセルを使用することによってユーザ機器と通信することは、特に、
ユーザ機器が第2の認証情報に基づく認証に成功した後に、第2の基地局によって、第2のセルを使用することによってユーザ機器と通信することを含む。
【０１９８】
上記の複数のプロセスのシーケンス番号は、本発明のさまざまな実施形態における実行シーケンスを意味するものではないということを理解すべきである。それらの複数のプロセスの実行シーケンスは、それらのプロセスの機能及び内部ロジックにしたがって決定されるべきであり、本発明の複数の実施形態の複数の実装プロセスに何らかの限定を付すものと解釈されるべきではない。
【０１９９】
UE、第1の基地局、及び第2の基地局の間の相互作用、及び、第2の基地局の視点から説明された関連する特徴及び機能は、ユーザ機器の視点から説明された相互作用、関連する特徴及び機能に対応しているということをさらに理解すべきである。簡潔さのため、本明細書においては、それらの詳細は、再び説明はされない。
【０２００】
したがって、本発明のこの実施形態にしたがった通信方法によれば、第2の基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０２０１】
図16は、本発明のさらに他の実施形態にしたがった通信方法300の概略的なフローチャートを示す。方法300は、基地局によって実行されてもよい。例えば、基地局は、eNBである。図16に示されているように、通信方法300は、以下のステップを含む。
【０２０２】
S310  第1の基地局は、ユーザ機器に第1の指示情報を送信し、それによって、ユーザ機器は、サービングセルを追加することが可能であるか否かを第1の指示情報にしたがって決定する。
【０２０３】
S320  ユーザ機器が、第1の指示情報にしたがって、サービングセルを追加することを決定する場合に、第1の基地局は、第2の基地局によって送信された第3のメッセージを受信し、その第3のメッセージは、ユーザ機器のための送信経路を追加することを第1の基地局に要求するのに使用され、第3のメッセージは、ユーザ機器の識別子情報を含む。
【０２０４】
S330  ユーザ機器が無線リソース制御(RRC)接続モードにある場合に、第1の基地局は、ユーザ機器の識別子情報にしたがってそのユーザ機器を識別し、ユーザ機器のサービング基地局は、第1の基地局であり、ユーザ機器のサービングセルは、第1の基地局の第1のセルである。
【０２０５】
S340  第1の基地局は、第2の基地局に第4のメッセージを送信し、その第4のメッセージは、ユーザ機器の送信経路の追加に成功したということを示すのに使用される。
【０２０６】
したがって、本発明のこの実施形態にしたがった通信方法によれば、第1の基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２０７】
本発明のこの実施形態においては、選択的に、通信方法300は、
ユーザ機器が、第1の指示情報にしたがって、サービングセルとして第2のセルを追加することを要求する場合に、第1の基地局によってユーザ機器に第2のメッセージを送信するステップをさらに含み、第2のメッセージは、ユーザ機器のサービングセルとして第2のセルの追加に成功したということを示すのに使用される。
【０２０８】
本発明のこの実施形態においては、選択的に、通信方法300は、
第2の基地局によって送信された第5のメッセージを第1の基地局によって受信するステップをさらに含み、その第5のメッセージは、ユーザ機器のダウンリンクGTPトンネル・アドレス情報を含む。
【０２０９】
本発明のこの実施形態においては、選択的に、第1の指示情報は、ユーザ機器のためのサービングセルを追加することが許可されるか否かを示すのに使用されるか、又は、
第1の指示情報は、セル周波数セットを含むか、又は、
第1の指示情報は、セル周波数及び物理セル識別子(PCI)セットを含むか、又は、
第1の指示情報は、サービングセルを追加することについてのトリガ条件情報を含む。
【０２１０】
本発明のこの実施形態においては、選択的に、第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０２１１】
上記の複数のプロセスのシーケンス番号は、本発明のさまざまな実施形態における実行シーケンスを意味するものではないということを理解すべきである。それらの複数のプロセスの実行シーケンスは、それらのプロセスの機能及び内部ロジックにしたがって決定されるべきであり、本発明の複数の実施形態の複数の実装プロセスに何らかの限定を付すものと解釈されるべきではない。
【０２１２】
UE、第1の基地局、及び第2の基地局の間の相互作用、及び、第1の基地局の視点から説明された関連する特徴及び機能は、ユーザ機器の視点から説明された相互作用、関連する特徴及び機能に対応しているということをさらに理解すべきである。簡潔さのため、本明細書においては、それらの詳細は、再び説明はされない。
【０２１３】
したがって、本発明のこの実施形態にしたがった通信方法によれば、第1の基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２１４】
上記では、図1乃至図16を参照して、本発明の複数の実施形態にしたがった通信方法を詳細に説明しており、以下では、図17乃至図22を参照して、本発明の複数の実施形態にしたがった基地局及びユーザ機器を説明する。
【０２１５】
図17は、本発明の1つの実施形態にしたがったユーザ機器400の概略的なブロック図を示している。図17に示されているように、ユーザ機器400は、
第1の指示情報を取得するように構成され、それによって、ユーザ機器は、サービングセルを追加することが可能であるか否かを第1の指示情報にしたがって決定する、取得モジュール410と、
ユーザ機器が無線リソース制御(RRC)接続モードにある場合に、第1の指示情報に基づいて、サービングセルとして第2のセルを追加することを決定するように構成される決定モジュール420であって、ユーザ機器のサービング基地局は、第1の基地局であり、ユーザ機器のサービングセルは、第1の基地局の第1のセルである、決定モジュール420と、
第2のセルが属している第2の基地局に第1のメッセージを送信するように構成される送信モジュール430であって、第1のメッセージは、ユーザ機器のサービングセルとして第2のセルを追加することを要求するのに使用される、送信モジュール430と、
第2の基地局又は第1の基地局によって送信された第2のメッセージを受信するように構成される受信モジュール440であって、第2のメッセージは、ユーザ機器のサービングセルの追加に成功したということを示すのに使用される、受信モジュール440と、
第1のセル及び第2のセルを使用することにより第1の基地局及び第2の基地局と通信するように構成される通信モジュール450と、を含む。
【０２１６】
したがって、本発明のこの実施形態にしたがったユーザ機器によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２１７】
本発明のこの実施形態においては、選択的に、取得モジュール410によって取得される第1の指示情報は、ユーザ機器のためのサービングセルを追加することが許可されるか否かを示すのに使用される。
【０２１８】
決定モジュール420は、特に、第1の指示情報が、ユーザ機器のためのサービングセルを追加することが許可されるということを示している場合に、サービングセルとして第2のセルを追加することを決定するように構成される。
【０２１９】
本発明のこの実施形態においては、選択的に、取得モジュール410によって取得される第1の指示情報は、セル周波数セットを含む。決定モジュール420は、特に、第2のセルの周波数がそのセル周波数セットに属する場合に、サービングセルとして第2のセルを追加することを決定するように構成される。
【０２２０】
本発明のこの実施形態においては、選択的に、取得モジュール410によって取得される第1の指示情報は、セル周波数及び物理セル識別子(PCI)セットを含む。決定モジュール420は、特に、第2のセルの周波数及びPCIがそのセル周波数及びPCIセットに属する場合に、サービングセルとして第2のセルを追加することを決定するように構成される。
【０２２１】
本発明のこの実施形態においては、選択的に、受信モジュール440は、さらに、第2の基地局によって送信された第2の指示情報を受信するように構成され、第2の指示情報は、第1のセルセットを示すのに使用される。
【０２２２】
決定モジュール420は、特に、第1のセルが第1のセルセットに属する場合に、サービングセルとして第2のセルを追加することを決定するように構成される。
【０２２３】
本発明のこの実施形態においては、選択的に、取得モジュール410によって取得される第1の指示情報は、サービングセルを追加することについてのトリガ条件情報を含む。
【０２２４】
本発明のこの実施形態においては、選択的に、受信モジュール440は、さらに、第2の基地局によって送信された第3の指示情報を受信するように構成され、第3の指示情報は、第2のセルがライセンス補助アクセス(LAA)セルに属しているか否かを示すのに使用され、及び/又は第2のセルの相関セル情報を示すのに使用される。
【０２２５】
決定モジュール420は、特に、第2のセルがLAAセルに属し、及び/又は第1のセルが第2のセルの相関セルであるということを決定する場合に、第1の指示情報に基づいて、サービングセルとして第2のセルを追加することを決定するように構成される。
【０２２６】
本発明のこの実施形態においては、選択的に、第1の基地局及び第2の基地局が同じ基地局である場合に、第1の指示情報は、第2のセルセットを示すのに使用され、第2のセルセットに含まれるセルは、第1の基地局のセルであり、決定モジュール420は、特に、第2のセルが第2のセルセットに属している場合に、サービングセルとして第2のセルを追加することを決定するように構成される。
【０２２７】
本発明のこの実施形態においては、選択的に、送信モジュール430によって送信される第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。
【０２２８】
本発明のこの実施形態においては、選択的に、受信モジュール440によって受信された第2のメッセージは、ネットワークに対して認証を実行するのに使用される第2の認証情報を含む。
【０２２９】
通信モジュール450は、特に、第2の認証情報に基づく認証に成功した後に、第1のセル及び第2のセルを使用することによって第1の基地局及び第2の基地局と通信するように構成される。
【０２３０】
本発明のこの実施形態にしたがったユーザ機器400は、本発明の1つの実施形態にしたがった通信方法におけるUEに対応していてもよく、ユーザ機器400の中の複数のモジュールの上記の動作及び他の動作及び/又は機能は、図1乃至16の方法100乃至300の対応する手順を実装するのに個別に使用される。簡潔さのために、本明細書においては、詳細は、再び説明はされない。
【０２３１】
したがって、本発明のこの実施形態にしたがったユーザ機器によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２３２】
図18は、本発明の1つの実施形態にしたがった基地局500の概略的なブロック図を示している。図18に示されているように、基地局500は、
ユーザ機器によって送信された第1のメッセージを受信するように構成される受信モジュール510であって、第1のメッセージは、ユーザ機器のサービングセルとして基地局の第2のセルを追加することを要求するのに使用され、ユーザ機器は、無線リソース制御(RRC)接続モードにあり、ユーザ機器のサービング基地局は、第1の基地局であり、ユーザ機器のサービングセルは、第1の基地局の第1のセルである、受信モジュール510と、
ユーザ機器に第2のメッセージを送信するように構成される送信モジュール520であって、第2のメッセージは、ユーザ機器のサービングセルの追加に成功したということを示すのに使用される、送信モジュール520と、
第2のセルを使用することによってユーザ機器と通信するように構成される通信モジュール530と、を含む。
【０２３３】
したがって、本発明のこの実施形態にしたがった基地局によれば、基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０２３４】
本発明のこの実施形態においては、選択的に、送信モジュール520は、さらに、第1のメッセージにしたがって、第1の基地局に第3のメッセージを送信するように構成され、第3のメッセージは、ユーザ機器のための送信経路を追加することを第1の基地局に要求するのに使用される。
【０２３５】
受信モジュール510は、さらに、第3のメッセージにしたがって第1の基地局によって送信された第4のメッセージを受信するように構成され、第4のメッセージは、ユーザ機器の送信経路の追加に成功したということを示すのに使用される。
【０２３６】
本発明のこの実施形態においては、選択的に、送信モジュール520は、さらに、ユーザ機器に第2の指示情報を送信するように構成され、第2の指示情報は、第1のセルセットを示すのに使用される。
【０２３７】
受信モジュール510は、特に、ユーザ機器が、第2の指示情報にしたがって、第1のセルが第1のセルセットに属しているということを決定する場合に、ユーザ機器によって送信された第1のメッセージを受信するように構成される。
【０２３８】
本発明のこの実施形態においては、選択的に、送信モジュール520は、さらに、ユーザ機器に第3の指示情報を送信するように構成され、第3の指示情報は、第2のセルがライセンス補助アクセス(LAA)セルに属しているか否かを示すのに使用され、及び/又は第2のセルの相関セル情報を示すのに使用される。
【０２３９】
受信モジュール510は、特に、ユーザ機器が、第2のセルがLAAセルに属し、及び/又は第1のセルが第2のセルの相関セルであるということを決定する場合に、ユーザ機器によって送信された第1のメッセージを受信するように構成される。
【０２４０】
本発明のこの実施形態においては、選択的に、受信モジュール510によって受信された第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０２４１】
本発明のこの実施形態においては、選択的に、送信モジュール520は、さらに、第1の基地局に第5のメッセージを送信するように構成され、第5のメッセージは、ユーザ機器のダウンリンクGTPトンネル・アドレス情報を含む。
【０２４２】
本発明のこの実施形態においては、選択的に、受信モジュール510によって受信された第4のメッセージ及び送信モジュール520によって送信された第2のメッセージは、ネットワークに対して認証を実行するのに使用される第2の認証情報を含む。通信モジュール530は、特に、ユーザ機器が第2の認証情報に基づく認証に成功した後に、第2のセルを使用することによってユーザ機器と通信するように構成される。
【０２４３】
本発明のこの実施形態においては、選択的に、受信モジュール510によって受信された第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。送信モジュール520によって送信された第3のメッセージは、ユーザ機器の識別子情報及び/又は第1の認証情報を含む。
【０２４４】
本発明のこの実施形態にしたがった基地局500は、本発明の1つの実施形態にしたがった通信方法における第2の基地局に対応していてもよく、基地局500の中の複数のモジュールの上記の動作及び他の動作及び/又は機能は、図1乃至図16の方法100乃至300の対応する手順を実装するのに個別に使用される。簡潔さのために、本明細書においては、詳細は、再び説明はされない。
【０２４５】
したがって、本発明のこの実施形態にしたがった基地局によれば、第2の基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０２４６】
図19は、本発明の他の実施形態にしたがった基地局600の概略的なブロック図を示している。図19に示されているように、基地局600は、
ユーザ機器に第1の指示情報を送信するように構成され、それによって、ユーザ機器は、サービングセルを追加することが可能であるか否かを第1の指示情報にしたがって決定する、送信モジュール610と、
ユーザ機器が、第1の指示情報にしたがって、サービングセルを追加することを決定する場合に、第2の基地局によって送信された第3のメッセージを受信するように構成される受信モジュール620であって、その第3のメッセージは、ユーザ機器のための送信経路を追加することを当該基地局に要求するのに使用され、第3のメッセージは、ユーザ機器の識別子情報を含む、受信モジュール620と、
ユーザ機器が無線リソース制御(RRC)接続モードにある場合に、ユーザ機器の識別子情報にしたがってユーザ機器を識別するように構成される識別モジュール630であって、ユーザ機器のサービング基地局は、当該基地局であり、ユーザ機器のサービングセルは、当該基地局の第1のセルである、識別モジュール630と、を含む。
【０２４７】
送信モジュール610は、さらに、第2の基地局に第4のメッセージを送信するように構成され、第4のメッセージは、ユーザ機器の送信経路の追加に成功したということを示すのに使用される。
【０２４８】
したがって、本発明のこの実施形態にしたがった基地局によれば、基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２４９】
本発明のこの実施形態においては、選択的に、送信モジュール610は、さらに、ユーザ機器が、第1の指示情報にしたがって、サービングセルとして第2のセルを追加することを要求する場合に、そのユーザ機器に第2のメッセージを送信するように構成され、第2のメッセージは、ユーザ機器のサービングセルとして第2のセルの追加に成功したということを示すのに使用される。
【０２５０】
本発明のこの実施形態においては、選択的に、受信モジュール620は、さらに、第2の基地局によって送信された第5のメッセージを受信するように構成され、第5のメッセージは、ユーザ機器のダウンリンクGTPトンネル・アドレス情報を含む。
【０２５１】
本発明のこの実施形態においては、選択的に、送信モジュール610によって送信された第1の指示情報は、ユーザ機器のためのサービングセルを追加することが許可されるか否かを示すのに使用されるか、又は、
送信モジュール610によって送信された第1の指示情報は、セル周波数セットを含むか、又は、
送信モジュール610によって送信された第1の指示情報は、セル周波数及び物理セル識別子(PCI)セットを含むか、又は、
送信モジュール610によって送信された第1の指示情報は、サービングセルを追加することについてのトリガ条件情報を含む。
【０２５２】
本発明のこの実施形態においては、選択的に、送信モジュール610によって送信された第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０２５３】
本発明のこの実施形態にしたがった基地局600は、本発明の1つの実施形態にしたがった通信方法における第1の基地局に対応していてもよく、基地局600の中の複数のモジュールの上記の動作及び他の動作及び/又は機能は、図1乃至図16の方法100乃至300の対応する手順を実装するのに個別に使用される。簡潔さのために、本明細書においては、詳細は、再び説明はされない。
【０２５４】
したがって、本発明のこの実施形態にしたがった基地局によれば、第1の基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２５５】
さらに、"システム"及び"ネットワーク"との記載は、本明細書では相互に交換可能に使用されてもよい。本明細書中の"及び/又は"との記載は、関連づけられた関係のみを説明して関連付けられた対象を説明し、3つの関係が存在するということを表す。たとえば、A及び/又はBは、Aのみが存在する、A及びBの双方が存在する、Bのみが存在するといった次の3つの場合を表す。さらに、本明細書中の文字"/"は、一般的に、複数の関連づけられた対象の間の"又は"の関係を示す。
【０２５６】
本発明の複数の実施形態においては、"Aに対応するB"は、BがAと関連付けられており、BがAにしたがって決定されてもよいということを示すということを理解すべきである。一方で、AにしたがってBを決定することは、BがAのみにしたがって決定されるということを意味するものではなく、BがA及び/又は他の情報にしたがって決定されてもよいということをさらに理解すべきである。
【０２５７】
図20に示されているように、本発明の1つの実施形態は、さらに、ユーザ機器700を提供し、そのユーザ機器700は、プロセッサ710、メモリ720、バスシステム730、受信機740、及び送信機750を含む。プロセッサ710、メモリ720、受信機740、及び送信機750は、バスシステム730を使用することによって互いに接続され、メモリ720は、命令を格納するように構成され、そして、プロセッサ710は、メモリ720に格納されたその命令を実行して、信号を受信するように受信機740を制御するとともに信号を送信するように送信機750を制御するように構成される。プロセッサ710は、第1の指示情報を取得するように構成され、それによって、ユーザ機器は、サービングセルを追加することが可能であるか否かを第1の指示情報にしたがって決定し、プロセッサ710は、ユーザ機器が無線リソース制御(RRC)接続モードにある場合に、第1の指示情報に基づいて、サービングセルとして第2のセルを追加することを決定するように構成され、ユーザ機器のサービング基地局は、第1の基地局であり、ユーザ機器のサービングセルは、第1の基地局の第1のセルである。送信機750は、第2のセルが属している第2の基地局に第1のメッセージを送信するように構成され、第1のメッセージは、ユーザ機器のサービングセルとして第2のセルを追加することを要求するのに使用される。受信機740は、第2の基地局又は第1の基地局によって送信された第2のメッセージを受信するように構成され、第2のメッセージは、ユーザ機器のサービングセルの追加に成功したということを示すのに使用される。プロセッサ710は、第1のセル及び第2のセルを使用することによって第1の基地局及び第2の基地局と通信するように構成される。
【０２５８】
したがって、本発明のこの実施形態にしたがったユーザ機器によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２５９】
本発明のこの実施形態においては、プロセッサ710は、中央処理ユニット(Central  Processing  Unit,  略称"CPU")であってもよく、或いは、プロセッサ710は、他の汎用プロセッサ、ディジタル信号プロセッサ(DSP)、特定用途向け集積回路(ASIC)、フィールド・プログラマブル・ゲート・アレイ(FPGA)又は他のプログラム可能な論理デバイス、ディスクリート・ゲート又はトランジスタ論理デバイス、個別のハードウェア構成要素等であってもよいということを理解すべきである。汎用プロセッサは、マイクロプロセッサであってもよく、或いは、このプロセッサは、いずれかの標準的なプロセッサ等であってもよい。
【０２６０】
メモリ720は、読み出し専用メモリ及びランダム・アクセス・メモリを含んでもよく、プロセッサ710に命令及びデータを提供してもよい。メモリ720の一部は、不揮発性ランダム・アクセス・メモリをさらに含んでもよい。たとえば、メモリ720は、さらに、デバイスのタイプについての情報を格納してもよい。
【０２６１】
データバスに加えて、バスシステム730は、電源バス、制御バス、状態信号バス等を含んでもよい。しかしながら、説明の明確さのために、様々なバスは、図においてはバスシステム730として示されている。
【０２６２】
1つの実装プロセスにおいて、プロセッサ710の中のハードウェアの集積化された論理回路又はソフトウェアの形態の命令を使用することによって、上記の方法の複数のステップを実現してもよい。本発明の実施形態に関して開示された方法のそれらの複数のステップは、ハードウェアプロセッサによって直接的に実行されてもよく、又は、プロセッサの中のハードウェア及びソフトウェアモジュールの組み合わせを使用することによって実行されてもよい。ソフトウェアモジュールは、ランダム・アクセス・メモリ、フラッシュメモリ、読み出し専用メモリ、プログラマブル読み出し専用メモリ、電気的消去可能なプログラマブルメモリ、又はレジスタ等の技術分野で完成している記憶媒体の中に位置していてもよい。記憶媒体は、メモリ720の中に位置していてもよい。プロセッサ710は、メモリ720から情報を読み出し、プロセッサ710の中のハードウェアとともに上記の方法の複数のステップを実現する。繰返しを避けるために、本明細書においては、詳細は、再び説明はされない。
【０２６３】
選択的に、1つの実施形態において、第1の指示情報は、ユーザ機器のためのサービングセルを追加することが許可されるか否かを示すのに使用される。
【０２６４】
プロセッサ710が、第1の指示情報に基づいて、サービングセルとして第2のセルを追加することを決定することは、
第1の指示情報が、ユーザ機器のためのサービングセルを追加することが許可されるということを示している場合に、サービングセルとして第2のセルを追加することをユーザ機器によって決定することを含む。
【０２６５】
選択的に、1つの実施形態において、第1の指示情報は、セル周波数セットを含む。プロセッサ710が、第1の指示情報に基づいて、サービングセルとして第2のセルを追加することを決定することは、特に、
第2のセルの周波数がセル周波数セットに属する場合に、サービングセルとして第2のセルを追加することをプロセッサ710によって決定することを含む。
【０２６６】
選択的に、1つの実施形態において、第1の指示情報は、セル周波数及び物理セル識別子(PCI)セットを含む。プロセッサ710が、第1の指示情報に基づいて、サービングセルとして第2のセルを追加することを決定することは、特に、
第2のセルの周波数及びPCIが、セル周波数及びPCIセットに属する場合に、サービングセルとして第2のセルを追加することをプロセッサ710によって決定することを含む。
【０２６７】
選択的に、1つの実施形態においては、受信機740は、第2の基地局によって送信された第2の指示情報を受信するように構成され、第2の指示情報は、第1のセルセットを示すのに使用される。
【０２６８】
プロセッサ710が、第1の指示情報に基づいて、サービングセルとして第2のセルを追加することを決定することは、
第1のセルが第1のセルセットに属する場合に、サービングセルとして第2のセルを追加することをプロセッサ710によって決定することを含む。
【０２６９】
選択的に、1つの実施形態において、第1の指示情報は、サービングセルを追加することについてのトリガ条件情報を含む。
【０２７０】
選択的に、1つの実施形態において、受信機740は、さらに、第2の基地局によって送信された第3の指示情報を受信するように構成され、第3の指示情報は、第2のセルがライセンス補助アクセス(LAA)セルに属しているか否かを示すのに使用され、及び/又は第2のセルの相関セル情報を示すのに使用される。
【０２７１】
プロセッサ710が、第1の指示情報に基づいて、サービングセルとして第2のセルを追加することを決定することは、
第2のセルがLAAセルに属し、及び/又は第1のセルが第2のセルの相関セルであるということを決定する場合に、第1の指示情報に基づいて、サービングセルとして第2のセルを追加することをプロセッサ710によって決定することを含む。
【０２７２】
選択的に、1つの実施形態において、第1の基地局及び第2の基地局は、同じ基地局であり、第1の指示情報は、第2のセルセットを示すのに使用され、第2のセルセットに含まれるセルは、第1の基地局のセルである。
【０２７３】
プロセッサ710が、第1の指示情報に基づいて、サービングセルとして第2のセルを追加することを決定することは、
第2のセルが第2のセルセットに属している場合に、サービングセルとして第2のセルを追加することをプロセッサ710によって決定することを含む。
【０２７４】
選択的に、1つの実施形態において、第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。
【０２７５】
選択的に、1つの実施形態において、第2のメッセージは、ネットワークに対して認証を実行するのに使用される第2の認証情報を含む。
【０２７６】
プロセッサ710が、第1のセル及び第2のセルを使用することによって第1の基地局及び第2の基地局と通信することは、
第2の認証情報に基づく認証に成功した後に、プロセッサ710によって、第1のセル及び第2のセルを使用することによって第1の基地局及び第2の基地局と通信することを含む。
【０２７７】
本発明のこの実施形態にしたがったユーザ機器700は、本発明の1つの実施形態にしたがった通信方法におけるUE及び本発明のその実施形態にしたがったユーザ機器400に対応していてもよく、ユーザ機器700の中の複数のモジュールの上記の動作及び他の動作及び/又は機能は、図1乃至図16の方法100乃至300の対応する手順を実装するのに個別に使用される。簡潔さのために、本明細書においては、詳細は、再び説明はされない。
【０２７８】
したがって、本発明のこの実施形態にしたがったユーザ機器によれば、ユーザ機器は、第1の指示情報を取得し、その第1の指示情報に基づいて、サービングセルとして第2のセルを追加することを決定し、そして、その第2のセルが属している第2の基地局に第1のメッセージを送信し、その第1のメッセージは、ユーザ機器のサービングセルとして第2のセルを追加することを要求するのに使用され、それによって、ユーザ機器のサービングセルの追加に成功したということを示すのに使用される第2のメッセージを受信した後に、ユーザ機器は、第1のセル及び第2のセルを使用することによって第1の基地局及び第2の基地局とのデータ送信を実行することが可能である。したがって、ユーザ機器は、サービングセルとしてセルを自律的に追加することができ、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０２７９】
図21に示されているように、本発明の1つの実施形態は、さらに、基地局800を提供し、その基地局800は、プロセッサ810、メモリ820、バスシステム830、受信機840、及び送信機850を含む。プロセッサ810、メモリ820、受信機840、及び送信機850は、バスシステム830を使用することによって互いに接続され、メモリ820は、命令を格納するように構成され、プロセッサ810は、メモリ820に格納されているその命令を実行して、信号を受信するように受信機840を制御するとともに信号を送信するように送信機850を制御するように構成される。受信機840は、ユーザ機器によって送信された第1のメッセージを受信するように構成される。第1のメッセージは、ユーザ機器のサービングセルとして基地局の第2のセルを追加することを要求するのに使用され、ユーザ機器は、無線リソース制御(RRC)接続モードにあり、ユーザ機器のサービング基地局は、第1の基地局であり、ユーザ機器のサービングセルは、第1の基地局の第1のセルである。送信機850は、ユーザ機器に第2のメッセージを送信するように構成され、第2のメッセージは、ユーザ機器のサービングセルの追加に成功したということを示すのに使用される。プロセッサ810は、第2のセルを使用することによってユーザ機器と通信するように構成される。
【０２８０】
したがって、本発明のこの実施形態にしたがった基地局によれば、第2の基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０２８１】
本発明のこの実施形態においては、プロセッサ810は、中央処理ユニット(Central  Processing  Unit,  略称"CPU")であってもよく、或いは、プロセッサ810は、他の汎用プロセッサ、ディジタル信号プロセッサ(DSP)、特定用途向け集積回路(ASIC)、フィールド・プログラマブル・ゲート・アレイ(FPGA)又は他のプログラム可能論理デバイス、ディスクリート・ゲート又はトランジスタ論理デバイス、個別のハードウェア構成要素等であってもよいということを理解すべきである。汎用プロセッサは、マイクロプロセッサであってもよく、或いは、このプロセッサは、いずれかの標準的なプロセッサ等であってもよい。
【０２８２】
メモリ820は、読み出し専用メモリ及びランダム・アクセス・メモリを含んでもよく、プロセッサ810に命令及びデータを提供してもよい。メモリ820の一部は、不揮発性ランダム・アクセス・メモリをさらに含んでもよい。たとえば、メモリ820は、さらに、デバイスのタイプについての情報を格納してもよい。
【０２８３】
データバスに加えて、バスシステム830は、電源バス、制御バス、状態信号バス等を含んでもよい。しかしながら、説明の明確さのために、様々なバスは、図においてはバスシステム830として示されている。
【０２８４】
1つの実装プロセスにおいて、プロセッサ810の中のハードウェアの集積化された論理回路又はソフトウェアの形態の命令を使用することによって、上記の方法の複数のステップを実現してもよい。本発明の実施形態に関して開示された方法のそれらの複数のステップは、ハードウェアプロセッサによって直接的に実行されてもよく、又は、プロセッサの中のハードウェア及びソフトウェアモジュールの組み合わせを使用することによって実行されてもよい。ソフトウェアモジュールは、ランダム・アクセス・メモリ、フラッシュメモリ、読み出し専用メモリ、プログラマブル読み出し専用メモリ、電気的消去可能なプログラマブルメモリ、又はレジスタ等の技術分野で完成している記憶媒体の中に位置していてもよい。記憶媒体は、メモリ820の中に位置していてもよい。プロセッサ810は、メモリ820から情報を読み出し、プロセッサ810の中のハードウェアとともに上記の方法の複数のステップを実現する。繰返しを避けるために、本明細書においては、詳細は、再び説明はされない。
【０２８５】
選択的に、1つの実施形態において、送信機850は、第1のメッセージにしたがって、第1の基地局に第3のメッセージを送信するように構成され、第3のメッセージは、ユーザ機器のための送信経路を追加することを第1の基地局に要求するのに使用される。
【０２８６】
受信機840は、第3のメッセージにしたがって第1の基地局によって送信された第4のメッセージを受信するように構成され、第4のメッセージは、ユーザ機器の送信経路の追加に成功したということを示すのに使用される。
【０２８７】
選択的に、1つの実施形態において、送信機850は、ユーザ機器に第2の指示情報を送信するように構成され、第2の指示情報は、第1のセルセットを示すのに使用される。
【０２８８】
受信機840が、ユーザ機器によって送信された第1のメッセージを受信することは、
ユーザ機器が、第2の指示情報にしたがって、第1のセルが第1のセルセットに属しているということを決定する場合に、ユーザ機器によって送信された第1のメッセージを受信機840によって受信することを含む。
【０２８９】
選択的に、1つの実施形態において、送信機850は、ユーザ機器に第3の指示情報を送信するように構成され、第3の指示情報は、第2のセルがライセンス補助アクセス(LAA)セルに属しているか否かを示すのに使用され、及び/又は第2のセルの相関セル情報を示すのに使用される。
【０２９０】
受信機840が、ユーザ機器によって送信された第1のメッセージを受信することは、
ユーザ機器が、第2のセルがLAAセルに属し、及び/又は第1のセルが第2のセルの相関セルであるということを決定する場合に、ユーザ機器によって送信された第1のメッセージを受信機840によって受信することを含む。
【０２９１】
選択的に、1つの実施形態において、第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０２９２】
選択的に、1つの実施形態において、送信機850は、第1の基地局に第5のメッセージを送信するように構成され、第5のメッセージは、ユーザ機器のダウンリンクGTPトンネル・アドレス情報を含む。
【０２９３】
選択的に、1つの実施形態において、第4のメッセージ及び第2のメッセージは、ネットワークに対して認証を実行するのに使用される第2の認証情報を含む。
【０２９４】
プロセッサ810が、第2のセルを使用することによりユーザ機器と通信することは、特に、
ユーザ機器が第2の認証情報に基づく認証に成功した後に、プロセッサ810によって、第2のセルを使用することによってユーザ機器と通信することを含む。
【０２９５】
選択的に、1つの実施形態において、第1のメッセージは、以下の情報、すなわち、第1のセルのセル識別子情報、ユーザ機器の識別子情報、又はユーザ機器に対して認証を実行するのに使用される第1の認証情報のうちの少なくとも1つを含む。第3のメッセージは、ユーザ機器の識別子情報及び/又は第1の認証情報を含む。
【０２９６】
本発明のこの実施形態にしたがった基地局800は、本発明の1つの実施形態にしたがった通信方法における第2の基地局及び本発明のその実施形態にしたがった基地局500に対応していてもよく、基地局800の中の複数のモジュールの上記の動作及び他の動作及び/又は機能は、図1乃至図16の方法100乃至300の対応する手順を実装するのに個別に使用される。簡潔さのために、本明細書においては、詳細は、再び説明はされない。
【０２９７】
したがって、本発明のこの実施形態にしたがった基地局によれば、第2の基地局は、第1のメッセージを受信し、その第1のメッセージは、ユーザ機器によって自律的に送信され、そのユーザ機器のサービングセルとして第2の基地局の第2のセルを追加することを要求するのに使用され、そのユーザ機器のサービングセルの追加に成功した後に、第2の基地局は、第2のセルを使用することによってそのユーザ機器と通信し、結果として、そのユーザ機器は、サービングセルとしてセルを自律的に追加することが可能であり、基地局によってユーザ機器のサービングセルに対する集中化された管理を実行することを回避することが可能である。したがって、基地局による処理の負荷を軽減することが可能であるとともにシステムのシグナリング・オーバーヘッドを減少させることが可能である。
【０２９８】
図22に示されているように、本発明の1つの実施形態は、さらに、基地局900を提供し、その基地局900は、プロセッサ910、メモリ920、バスシステム930、受信機940、及び送信機950を含む。プロセッサ910、メモリ920、受信機940、及び送信機950は、バスシステム930を使用することによって互いに接続され、メモリ920は、命令を格納するように構成され、そして、プロセッサ910は、メモリ920に格納されているその命令を実行して、信号を受信するように受信機940を制御するとともに信号を送信するように送信機950を制御するように構成される。送信機950は、ユーザ機器に第1の指示情報を送信するように構成され、それによって、ユーザ機器は、サービングセルを追加することが可能であるか否かを第1の指示情報にしたがって決定する。受信機940は、ユーザ機器が、第1の指示情報にしたがって、サービングセルを追加することを決定する場合に、第2の基地局によって送信された第3のメッセージを受信するように構成され、第3のメッセージは、ユーザ機器のための送信経路を追加することを基地局に要求するのに使用され、第3のメッセージは、ユーザ機器の識別子情報を含む。プロセッサ910は、ユーザ機器が無線リソース制御(RRC)接続モードにある場合に、ユーザ機器の識別子情報にしたがってユーザ機器を識別するように構成され、ユーザ機器のサービング基地局は、第1の基地局であり、ユーザ機器のサービングセルは、第1の基地局の第1のセルである。送信機950は、第2の基地局に第4のメッセージを送信するように構成され、その第4のメッセージは、ユーザ機器の送信経路の追加に成功したということを示すのに使用される。
【０２９９】
したがって、本発明のこの実施形態にしたがった基地局によれば、第1の基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０３００】
本発明のこの実施形態においては、プロセッサ910は、中央処理ユニット(Central  Processing  Unit,  略称"CPU")であってもよく、或いは、プロセッサ910は、他の汎用プロセッサ、ディジタル信号プロセッサ(DSP)、特定用途向け集積回路(ASIC)、フィールド・プログラマブル・ゲート・アレイ(FPGA)又は他のプログラム可能論理デバイス、ディスクリート・ゲート又はトランジスタ論理デバイス、個別のハードウェア構成要素等であってもよいということを理解すべきである。汎用プロセッサは、マイクロプロセッサであってもよく、或いは、このプロセッサは、いずれかの標準的なプロセッサ等であってもよい。
【０３０１】
メモリ920は、読み出し専用メモリ及びランダム・アクセス・メモリを含んでもよく、プロセッサ910に命令及びデータを提供してもよい。メモリ920の一部は、不揮発性ランダム・アクセス・メモリをさらに含んでもよい。たとえば、メモリ920は、さらに、デバイスのタイプについての情報を格納してもよい。
【０３０２】
データバスに加えて、バスシステム930は、電源バス、制御バス、状態信号バス等を含んでもよい。しかしながら、説明の明確さのために、様々なバスは、図においてはバスシステム930として示されている。
【０３０３】
1つの実装プロセスにおいて、プロセッサ910の中のハードウェアの集積化された論理回路又はソフトウェアの形態の命令を使用することによって、上記の方法の複数のステップを実現してもよい。本発明の実施形態に関して開示された方法のそれらの複数のステップは、ハードウェアプロセッサによって直接的に実行されてもよく、又は、プロセッサの中のハードウェア及びソフトウェアモジュールの組み合わせを使用することによって実行されてもよい。ソフトウェアモジュールは、ランダム・アクセス・メモリ、フラッシュメモリ、読み出し専用メモリ、プログラマブル読み出し専用メモリ、電気的消去可能なプログラマブルメモリ、又はレジスタ等の技術分野で完成している記憶媒体の中に位置していてもよい。記憶媒体は、メモリ920の中に位置していてもよい。プロセッサ910は、メモリ920から情報を読み出し、プロセッサ910の中のハードウェアとともに上記の方法の複数のステップを実現する。繰返しを避けるために、本明細書においては、詳細は、再び説明はされない。
【０３０４】
選択的に、1つの実施形態においては、送信機950は、ユーザ機器が、第1の指示情報にしたがって、サービングセルとして第2のセルを追加することを要求する場合に、ユーザ機器に第2のメッセージを送信するように構成され、第2のメッセージは、ユーザ機器のサービングセルとして第2のセルの追加に成功したということを示すのに使用される。
【０３０５】
選択的に、1つの実施形態において、受信機940は、第2の基地局によって送信された第5のメッセージを受信するように構成され、第5のメッセージは、ユーザ機器のダウンリンクGTPトンネル・アドレス情報を含む。
【０３０６】
選択的に、1つの実施形態において、第1の指示情報は、ユーザ機器のためのサービングセルを追加することが許可されるか否かを示すのに使用されるか、又は、
第1の指示情報は、セル周波数セットを含むか、又は、
第1の指示情報は、セル周波数及び物理セル識別子(PCI)セットを含むか、又は、
第1の指示情報は、サービングセルを追加することについてのトリガ条件情報を含む。
【０３０７】
選択的に、1つの実施形態において、第4のメッセージは、ユーザ機器のベアラ情報を含む。ユーザ機器のベアラ情報は、以下の情報、すなわち、ユーザ機器のベアラ識別子情報、ユーザ機器のベアラのサービス品質(QoS)情報、又はユーザ機器のアップリンクGPRSトンネリング・プロトコル(GTP)トンネル・アドレス情報のうちの少なくとも1つを含む。
【０３０８】
本発明のこの実施形態にしたがった基地局900は、本発明の1つの実施形態にしたがった通信方法における第1の基地局及び本発明のその実施形態にしたがった基地局600に対応していてもよく、基地局900の中の複数のモジュールの上記の動作及び他の動作及び/又は機能は、図1乃至図16の方法100乃至300の対応する手順を実装するのに個別に使用される。簡潔さのために、本明細書においては、詳細は、再び説明はされない。
【０３０９】
したがって、本発明のこの実施形態にしたがった基地局によれば、第1の基地局は、ユーザ機器に第1の指示情報を送信し、それによって、そのユーザ機器は、その第1の指示情報に基づいて、サービングセルを自律的に追加することが可能であるか否かを決定し、ユーザ機器が、RRC接続モードにあり、サービングセルを追加することが可能であるということを決定する場合に、そのユーザ機器のためのサービングセルを追加することを第1の基地局及び第2の基地局に要求する。したがって、ユーザ機器は、サービングセルとしてセルを自律的に追加することが可能であり、基地局によってユーザ機器のサービングセルに対する集中化された管理を実行することを回避することができ、それによって、基地局による処理の負荷を軽減することが可能であるとともにシステムのシグナリング・オーバーヘッドを減少させることが可能である。
【０３１０】
当業者は、本明細書に開示された複数の実施形態において説明された例と関連して、電子的ハードウェア、コンピュータソフトウェア、又はこれらの組合せによって、ユニット及びアルゴリズムの複数のステップを実現することが可能であるということを理解している。ハードウェアとソフトウェアとの間の交換可能性について明確に説明するために、上記では、機能にしたがって各々の例の構成要素及びステップを一般的に説明してきた。機能がハードウェアによって実行されるか或いはソフトウェアによって実行されるかは、技術的解決方法の特定の用途及び設計上の制約条件によって決まる。当業者であれば、複数の異なる方法を使用して、特定の用途の各々について上記の機能を実装することができるが、その実装は、本発明の範囲を超えると解釈されるべきではない。
【０３１１】
有用な且つ簡潔な説明のために、上記のシステム、装置、及びユニットの詳細な動作プロセスについては、上記の方法実施形態の中の対応するプロセスを参照するべきであり、本明細書においては、詳細は、再び説明はされないということを、当業者は、明確に理解することができる。
【０３１２】
本出願で提供された上記の複数の実施形態において、開示されたシステム、装置及び方法は、他の手法にしたがって実装することが可能であるということを理解すべきである。たとえば、説明された装置実施形態は、1つの例にすぎない。たとえば、ユニットの区分は、論理機能区分に過ぎず、実際の実装においては、他の区分となってもよい。たとえば、複数のユニット又は構成要素を組み合わせ、又は一体化して、他のシステムにすることができ、或いは、いくつかの機能を無視し又は実行しなくてもよい。さらに、いくつかのインターフェイス、複数の装置又はユニットの間の非直接的な結合又は通信接続、或いは、電気的接続、機械的接続、又は他の形態の接続を使用することによって、示され又は論じられた相互結合又は直接的な結合又は通信接続を実装してもよい。
【０３１３】
別個の部分として説明されたユニットは、物理的に分離していてもよく又は物理的に分離していなくてもよく、ユニットとして示された部分は、物理的ユニットであってもよく又は物理的ユニットでなくてもよく、1つの位置に設置されていてもよく又は複数のネットワークユニットに分散されていてもよい。本発明の実施形態の解決方法の目的を達成するために、実際の必要に応じて、ユニットの一部又は全部を選択してもよい。
【０３１４】
さらに、本発明の複数の実施形態にしたがった機能ユニットを一体化して、処理ユニットにしてもよく、或いは、ユニットの各々が物理的に独立して存在してもよく、或いは、2つ又はより多くのユニットを1つのユニットに一体化してもよい。その一体化ユニットは、ハードウェアの形態で実装されてもよく、又は、ソフトウェア機能ユニットの形態で実装されてもよい。
【０３１５】
一体化されたユニットがソフトウェア機能ユニットの形態で実装され、独立した製品として販売又は使用される場合に、その一体化されたユニットは、コンピュータ読み取り可能な記憶媒体の中に格納されてもよい。そのような理解に基づいて、本発明の技術的解決方法は、本質的に、或いは、従来技術に寄与する部分又はそれらの技術的解決方法のうちの全部又は一部は、ソフトウェア製品の形態で実装されてもよい。ソフトウェア製品は、記憶媒体の中に格納され、複数の命令を含み、それらの複数の命令は、本発明の複数の実施形態において説明された方法のステップの全部又は一部を実行するように、(パーソナルコンピュータ、サーバ、又はネットワーク・デバイスであってもよい)コンピュータデバイスに指示する。上記の記憶媒体は、プログラムコードを格納することが可能なUSBフラッシュドライブ、取外し可能ハードディスク、読み出し専用メモリ(ROM,  Read-Only  Memory)、ランダム・アクセス・メモリ(RAM,  Random  Access  Memory)、磁気ディスク、又は光ディスク等のいずれかの媒体を含む。
【０３１６】
上記の記載は、本発明の特定の実施形態にすぎないが、本発明の保護範囲を限定することを意図するものではない。本発明で開示された技術的範囲の中にあるとともに当業者が容易に考え出すことができるいずれかの修正又は置換は、本発明の保護範囲に属するものとする。したがって、本発明の保護範囲は、請求項に記載された発明の保護範囲にしたがうものとする。
【図１】
0006545814.tif 000002
【図２】
0006545814.tif 000003
【図３】
0006545814.tif 000004
【図４】
0006545814.tif 000005
【図５】
0006545814.tif 000006
【図６】
0006545814.tif 000007
【図７】
0006545814.tif 000008
【図８】
0006545814.tif 000009
【図９】
0006545814.tif 000010
【図１０】
0006545814.tif 000011
【図１１Ａ】
0006545814.tif 000012
【図１１Ｂ】
0006545814.tif 000013
【図１１Ｃ】
0006545814.tif 000014
【図１１Ｄ】
0006545814.tif 000015
【図１２】
0006545814.tif 000016
【図１３】
0006545814.tif 000017
【図１４】
0006545814.tif 000018
【図１５】
0006545814.tif 000019
【図１６】
0006545814.tif 000020
【図１７】
0006545814.tif 000021
【図１８】
0006545814.tif 000022
【図１９】
0006545814.tif 000023
【図２０】
0006545814.tif 000024
【図２１】
0006545814.tif 000025
【図２２】
0006545814.tif 000026